(57)【特許請求の範囲】
【請求項１】
通信システムのための基地局であって、該通信システムにおいて、複数のマシンタイプ通信「ＭＴＣ」デバイスが該基地局を介して通信し、該基地局は、
システム情報更新が存在したことを前記複数のＭＴＣデバイスに通知するか否かを判断する手段と、
ページングメッセージを用いて通知を送信することによって、任意の複数のアイドルモードＭＴＣデバイスに前記システム情報更新を通知する手段と、
既に確立したＲＲＣ接続を持つＭＴＣデバイスに、専用シグナリングを用いて前記システム情報を提供するための手順を開始する手段と、
を備える、基地局。
【請求項２】
関連付けられた物理ダウンリンク制御チャネルにおいて、少なくとも１つのＭＴＣデバイスがページング関連情報を送信されることになるページング機会を決定する手段を更に備え、前記ページング機会は、前記物理ダウンリンク制御チャネルの複数の繰り返しの開始サブフレームである、請求項１に記載の基地局。
【請求項３】
前記開始サブフレームにおける前記物理ダウンリンク制御チャネル上で、前記ページング関連情報を送信し、次に、前記物理ダウンリンク制御チャネルの前記繰り返しにおいて、前記ページング関連情報を繰り返す手段を更に備える、請求項２に記載の基地局。
【請求項４】
前記ページング関連情報は、ページング無線ネットワーク一時識別子（Ｐ−ＲＮＴＩ）を含む、請求項２又は３に記載の基地局。
【請求項５】
前記ページング関連情報は、第１のカバレッジ拡張レベルを持つ少なくとも１つのカバレッジ拡張ＭＴＣデバイスのための第１のＰ−ＲＮＴＩと、第２のカバレッジ拡張レベルを持つ少なくとも１つのカバレッジ拡張ＭＴＣデバイスのための異なるＰ−ＲＮＴＩとを含む、請求項４に記載の基地局。
【請求項６】
第１のカバレッジ拡張レベルを持つ少なくとも１つのカバレッジ拡張ＭＴＣデバイスのためのページング関連情報は、第１のサブフレームにおける制御チャネルにおいて最初に送信され、第２のカバレッジ拡張レベルを持つ少なくとも１つのカバレッジ拡張ＭＴＣデバイスのためのページング関連情報は、前記第１のサブフレームと異なる第２のサブフレームにおける制御チャネルにおいて最初に送信される、請求項２〜５いずれか１項に記載の基地局。
【請求項７】
第１のカバレッジ拡張レベルを持つ少なくとも１つのカバレッジ拡張ＭＴＣデバイスのためのページング関連情報は、少なくとも１つのサブフレームにおける制御チャネルにおいて送信され、該少なくとも１つのサブフレームにおいて、第２のカバレッジ拡張レベルを持つ少なくとも１つのカバレッジ拡張ＭＴＣデバイスのためのページング関連情報も、同じ制御チャネルを用いて送信される、請求項２〜５のいずれか１項に記載の基地局。
【請求項８】
前記基地局は、少なくとも１つのＭＴＣデバイスに、システム情報ブロックにおいて少なくとも１つのページングメッセージを送信するために用いられるリソースを特定するためのスケジューリング情報を送信するように構成される、請求項１〜７のいずれか１項に記載の基地局。
【請求項９】
前記基地局は、第１の所定の周波数リソースを用いて第１のカバレッジ拡張レベルを持つ少なくとも１つのカバレッジ拡張ＭＴＣデバイスのためのページングメッセージを送信し、前記第１の所定の周波数リソースと異なる第２の所定の周波数リソースを用いて第２のカバレッジ拡張レベルを持つ少なくとも１つのカバレッジ拡張ＭＴＣデバイスのためのページングメッセージを送信するように構成される、請求項１〜８のいずれか１項に記載の基地局。
【請求項１０】
通信システムのためのマシンタイプ通信「ＭＴＣ」デバイスであって、該通信システムにおいて、複数のＭＴＣデバイスは基地局を介して通信し、該ＭＴＣデバイスは、
前記基地局と無線リソース制御「ＲＲＣ」接続を確立して、ＲＲＣ接続モードに入る手段と、
前記ＲＲＣ接続モードにあるとき、専用シグナリングを介して、前記ＲＲＣ接続が既に確立された後の基地局開始手続の一部として、前記基地局のセルに関連付けられたシステム情報を得るように構成されたトランシーバと、
を備える、マシンタイプ通信「ＭＴＣ」デバイス。
【請求項１１】
通信システムのための基地局によって実行される方法であって、該通信システムにおいて、複数のマシンタイプ通信「ＭＴＣ」デバイスは前記基地局を介して通信し、該方法は、
システム情報更新が存在したことを前記複数のＭＴＣデバイスに通知するか否かを判断し、
ページングメッセージを用いて通知を送信することによって、任意の複数のアイドルモードＭＴＣデバイスに前記システム情報更新を通知し、
専用シグナリングを用いて、既に確立したＲＲＣ接続を持つＭＴＣデバイスに前記システム情報を提供するための手順を開始する、
ことを含む、方法。
【請求項１２】
通信システムにおいてマシンタイプ通信「ＭＴＣ」デバイスによって実行される方法であって、該通信システムにおいて、複数のＭＴＣデバイスは基地局を介して通信し、該方法は、
前記基地局と無線リソース制御「ＲＲＣ」接続を確立して、ＲＲＣ接続モードに入り、
前記ＲＲＣ接続モードにあるとき、専用シグナリングを介して、前記ＲＲＣ接続が既に確立された後の基地局開始手順の一部として、前記基地局のセルに関連付けられたシステム情報を得る、
ことを含む、方法。
【請求項１３】
通信システムのための基地局であって、該通信システムにおいて、マシンタイプ通信「ＭＴＣ」デバイスが該基地局を介して通信し、該基地局は、
システム情報更新が存在したことを前記ＭＴＣデバイスに通知するか否かを判断するように構成されたコントローラと、
ページングメッセージを用いて通知を送信することによって、任意のアイドルモードＭＴＣデバイスに前記システム情報更新を通知するように構成された送信機と、
を備え、
前記送信機は、専用シグナリングを用いて、既に確立したＲＲＣ接続を持つＭＴＣデバイスに前記システム情報を提供するための手順を開始するように更に構成される、基地局。
【請求項１４】
通信システムのためのマシンタイプ通信「ＭＴＣ」デバイスであって、該通信システムにおいて、該ＭＴＣデバイスは基地局を介して通信し、該ＭＴＣデバイスは、
前記基地局と無線リソース制御「ＲＲＣ」接続を確立して、ＲＲＣ接続モードに入るように構成されたコントローラと、
前記ＲＲＣ接続モードにあるとき、専用シグナリングを介して、前記ＲＲＣ接続が既に確立された後の基地局開始手順の一部として、前記基地局のセルに関連付けられたシステム情報を得るように構成されたトランシーバと、
を備える、マシンタイプ通信「ＭＴＣ」デバイス。
【発明の詳細な説明】
【技術分野】
【０００１】
本発明は、移動通信デバイス及び移動通信ネットワークに関し、限定はしないが、特に、第３世代パートナーシッププロジェクト（３ＧＰＰ）標準規格又はその均等物若しくは派生物に従って動作する、移動通信デバイス及び移動通信ネットワークに関する。本発明は、限定はしないが、特に、ＬＴＥアドバンストを含む、ＵＴＲＡＮのロングタームエボリューション（ＬＴＥ）（発展型ユニバーサル地上無線アクセスネットワーク（Ｅ−ＵＴＲＡＮ）と呼ばれる）に関連する。
【背景技術】
【０００２】
移動（セルラ）通信ネットワークでは、（ユーザ）通信デバイス（ユーザ機器（ＵＥ）、例えば移動電話機としても知られている）が、複数の基地局を介して複数のリモートサーバ又は他の複数の通信デバイスと通信する。それらの互いの通信において、複数の通信デバイスと複数の基地局とは、通常は複数の周波数帯域及び／又は複数の時間ブロックに分割されている、認可された複数の無線周波数を用いる。
【０００３】
複数の通信デバイスは、複数の基地局を介して通信することができるようにするために、複数の基地局によって動作される、複数の制御チャネルを監視する必要がある。これらの制御チャネルのうちの１つ、いわゆる物理ダウンリンク制御チャネル（ＰＤＣＣＨ）、及び／又はいわゆるＲｅｌ−１３における拡張ＰＤＣＣＨ（ＥＰＤＣＣＨ）は、複数のスケジューリング割り当てと他の制御情報とを搬送する。（Ｅ）ＰＤＣＣＨは様々な目的に応える。主として、（Ｅ）ＰＤＣＣＨは、個々の通信デバイスに対する複数のスケジューリング決定事項、すなわち、アップリンク通信及びダウンリンク通信のための複数のスケジューリング割り当てを伝達するのに用いられる。
【０００４】
（Ｅ）ＰＤＣＣＨ上で搬送される情報は、ダウンリンク制御情報（ＤＣＩ）と呼ばれる。（Ｅ）ＰＤＣＣＨ等の複数の物理制御チャネルは、１つ又は幾つかの連続した複数の制御チャネル要素（ＣＣＥ）のアグリゲーションにおいて送信される。ここで、制御チャネル要素は、９つのリソース要素グループ（ＲＥＧ）に対応する。各ＲＥＧは、４つのリソース要素（ＲＥ）を持つ。
【０００５】
ページングチャネルは、１つ以上の通信デバイスについてのシステム情報変化及び／又は複数の着信通信（複数のモバイル終端呼、複数のショートテキストメッセージ、ダウンリンクデータ等）を複数の通信デバイスに通知するための物理ダウンリンク共有チャネル（ＰＤＳＣＨ）にわたって提供される（ＰＤＳＣＨにマッピングされる）。複数のページングメッセージは（それらはＰＤＳＣＨにわたって送信されるが）、（Ｅ）ＰＤＣＣＨを介してスケジューリングされる。特に、基地局によって送信される各無線フレームにおいて、少なくとも１つの所定のページング機会（ＰＯ）（無線フレームあたり最大で４つのＰＯ）が存在し、各ＰＯは、基地局が関連ページングメッセージをスケジューリングするためにＰＤＣＣＨにわたって制御データを送信してよい、サブフレームである。各ページングメッセージは、ページングメッセージが送信される、１つ以上の通信デバイスを特定することができる。ＰＯが、セル内の全てのＬＴＥデバイスについて同じである、いわゆるページング識別子、すなわち、ページング無線ネットワーク一時識別子（Ｐ−ＲＮＴＩ）を含むときはいつでも、各通信デバイスは制御データを処理し、（制御データによって識別される時間周波数リソースにおいて）ページングチャネルにわたってブロードキャストされるページングメッセージの復号に進む。
【０００６】
より詳細には、特定の通信デバイスのためのダウンリンクデータ（又は着信呼）があるときはいつでも、ネットワークは、その通信デバイスにサービングしている場合がある基地局（ら）にデータ（又は呼）を通知する。これに応答して、基地局は、無線リソース制御（ＲＲＣ）ページングメッセージを生成し、（ＰＤＳＣＨを介してブロードキャストすることによって）通信デバイスのための生成されたページングメッセージを送信する。ページングメッセージは、所定のＰＯのうちの１つを用いてスケジューリングされ、そのロケーションは、（例えば、基地局のシステム情報ブロードキャストから）通信デバイスに既知である。ページングメッセージは、ページングされている各通信デバイスとその通信デバイスをページングする理由とを特定する、１つ以上のページングレコードを含む。
【０００７】
通信デバイスは、ＰＯ（を介して送信される制御データ）内のＰ−ＲＮＴＩによってアドレス指定された（Ｅ）ＰＤＣＣＨを見つける場合、ＰＤＣＣＨ  ＰＯを介して送信された関連制御データによって識別される、ＰＤＳＣＨリソースブロック（ＲＢ）からＲＲＣメッセージを受信し復号することに進む。復号されたＲＲＣページングメッセージにおいて、特定の通信デバイスについてページングレコードが見つかる場合、その通信デバイスは、ページングメッセージへの応答に進む（一方、他のページングされていない通信デバイスは次のＰＯについて監視を続ける）。適宜、ページングされた通信デバイスは、基地局とのランダムアクセス手順を実行し、これによってネットワークとの接続を確立し、ページングメッセージ（すなわち、通信デバイスのページングレコード）が関係する着信通信に応答できるようになる。
【０００８】
遠距離通信における近年の進展では、人間の援助なしで通信し複数の動作を行うように手配された、複数のネットワーク接続デバイスである複数のマシンタイプ通信（ＭＴＣ）デバイスの使用の大幅な増加が見られている。そのような複数のデバイスの例には、複数のスマートメータが含まれる。これらスマートメータは、複数の測定を行い、これらの測定結果を、遠距離通信ネットワークを介して他の複数のデバイスに中継するように構成され得る。複数のマシンタイプ通信デバイスは、複数のマシンツーマシン（Ｍ２Ｍ）通信デバイスとしても知られている。
【０００９】
複数のＭＴＣデバイスは、リモート「マシン」（例えば、サーバ）若しくはユーザに送信するデータ又はそれらから受信するデータを有するときは常に、（必要な場合には、適切なランダムアクセス手順を実行した後に）ネットワークに接続する。複数のＭＴＣデバイスは、複数の移動電話機又は類似のユーザ機器用に最適化された、複数の通信プロトコルと複数の標準規格とを用いる。一方、複数のＭＴＣデバイスは、一旦配置されると、通常、人間の管理もインタラクションも必要とすることなく動作し、内部メモリに記憶されたソフトウェア命令に従う。複数のＭＴＣデバイスは、長期間静止した状態及び／又は非アクティブな状態に留まる場合もある。複数のＭＴＣデバイスをサポートする複数の特定のネットワーク要件は、３ＧＰＰ技術仕様書（ＴＳ）２２．３６８  Ｖ１３．１．０において取り扱われている。この内容は、引用することによって本明細書の一部をなす。
【００１０】
複数のＭＴＣデバイスに関する標準規格のリリース１３（Ｒｅｌ−１３）バージョンについては、ダウンリンク及びアップリンクにおける１．４ＭＨｚの削減帯域幅のサポートが想定されている。このため、幾つかのＭＴＣデバイスは、全ＬＴＥ帯域幅と比較して制限された帯域幅（通常、１．４ＭＨｚ）しかサポートせず、及び／又はより少ない／単純化された構成要素を有する場合がある。これによって、そのような複数の「削減帯域幅」ＭＴＣデバイスを、より大きな帯域幅をサポートし及び／又はより複雑な構成要素を持つ複数のＭＴＣデバイスと比較して、より経済的に作製することが可能になる。ＥＰＤＣＣＨは比較的狭い周波数スペクトル（１．４ＭＨｚ）にわたって送信され、これによってＥＰＤＣＣＨが複数のＲｅｌ−１３削減帯域幅ＭＴＣデバイスと互換性を有することが有益である。
【００１１】
ネットワークカバレッジの欠如（例えば、屋内に配置されるとき）は、複数のＭＴＣデバイスの多くの場合に制限された機能と組み合わさって、そのようなＭＴＣデバイスが有するデータレートの低下をもたらす可能性があり、したがって、幾つかのメッセージ又はＥＰＤＣＣＨ等の複数のチャネルがＭＴＣデバイスによって受信されないリスクが存在する。このリスクを緩和するために、送信のカバレッジを増加させて（例えば、周波数分割複信（ＦＤＤ）送信の場合には２０ｄＢに対応する）、そのような複数のＭＴＣデバイスをサポートすることが提案されている。
【００１２】
カバレッジの拡張、いわゆる「複数のカバレッジ拡張ＭＴＣデバイス」のために提案された１つの手法は、同じ情報（例えば、ＥＰＤＣＣＨを介して送信されるＤＣＩ）を複数のサブフレーム（例えば、２つ、３つ、又は４つのサブフレーム）にわたって繰り返すことである。換言すれば、複数のカバレッジ拡張（ＣＥ）ＭＴＣデバイスの場合、基地局は、送信された情報を時間領域において複製する（基地局は、その情報が最初に送信されるサブフレームの後続の１つ以上のサブフレームにおいて、同じ情報を再送信する）。そのようなカバレッジ拡張ＭＴＣデバイスは、複数のサブフレームにおいて受信された（同じ）情報の複数のコピーを組み合わせるように構成され得、これらの受信された情報を組み合わせた後、カバレッジ拡張ＭＴＣデバイスは、送信された情報の単一のコピーに基づくよりも、受信した情報の復号化に成功することができる可能性が高い。基地局による同じ情報の繰り返しと同様に、複数のカバレッジ拡張ＭＴＣデバイスは、基地局に送信された情報を（時間領域において）複製し、基地局におけるその情報の受信の成功を容易にするようにも構成される。
【００１３】
実際には、複数のＭＴＣデバイスは、それぞれ異なるロケーションに配置されてよく、それぞれ異なるチャネル状態を経験するかもしれない。したがって、繰り返しの数は、各デバイスの状況又はカバレッジレベルに合わせる必要があってよく、したがって、各ＭＴＣデバイスは、自身のサービング基地局がその制御シグナリングを適切に調整することを可能にするのに必要とされるカバレッジの量（例えば、５ｄＢ／１０ｄＢ／１５ｄＢ／２０ｄＢのカバレッジ拡張）を、この基地局に知らせる。
【００１４】
複数のページングメッセージは、複数のＭＴＣデバイス（例えば、複数の低複雑度ＭＴＣデバイス及び／又は複数のカバレッジ拡張ＭＴＣデバイス）のために、かつ従来の複数の移動電話機等の他の複数の（非−ＭＴＣ）通信デバイスのために、別個に送信される。さらに、３ＧＰＰは、複数のＭＴＣデバイスのための複数のページングメッセージが、ＭＴＣデバイスの動作モード（例えば、通常のカバレッジモード（０ｄＢのＣＥレベル）で動作しているか、５ｄＢのＣＥレベルで動作しているか、１０ｄＢのＣＥレベルで動作しているか、又は１５ｄＢのＣＥレベルで動作しているか）に依拠して、異なるサブバンドで送信されてよいことを想定している。
【発明の概要】
【発明が解決しようとする課題】
【００１５】
したがって、ページングがＣＥ  ＭＴＣデバイスを対象としている場合、送信の繰り返しがサポートされる必要がある。しかしながら、現在のページング手順はそのような繰り返しをサポートしない。
【００１６】
さらに、繰り返しがサポートされていたとしても、基地局において、ページングされているＭＴＣがデバイスのタイプ及び／又はその必要とされるカバレッジ拡張レベルに関して不確実性が存在する可能性があり、この結果、誤った数の繰り返しが用いられ、及び／又は複数のページングメッセージが誤った時間周波数リソースにおいて送信され、及び／又は誤ったフォーマットで送信される可能性がある。例えば、ＣＥレベルが、（或る３ＧＰＰ参与者によって現在提案されているような）複数のページング通信がブロードキャストされる、特定の１．４ＭＨｚサブバンド（ページングロケーション）にリンクされる場合、ＣＥレベルに関するこの不確実性の結果、幾つかの低複雑度ＭＴＣデバイスが、これらのＭＴＣデバイスのためにページングメッセージ（及び関連制御データ）が送信される、サブバンドの外側にある１．４ＭＨｚ帯域幅にチューニングされる可能性がある。しかしながら、通信デバイスによって用いられるＣＥレベルが基地局によって（その通信デバイスのために）用いられるＣＥレベルと同じであることを確実にする簡単な方法が存在しない。
【００１７】
したがって、本発明は、上記の問題に少なくとも部分的に対処する、システム、デバイス及び方法を提供しようとする。
【００１８】
１つの態様において、本発明は、通信システムのための基地局であって、該通信システムにおいて、複数のマシンタイプ通信「ＭＴＣ」デバイスが該基地局を介して通信し、該基地局は、システム情報更新が存在したことを前記複数のＭＴＣデバイスに通知する要件が存在することを判断する手段と、ページングメッセージを用いて通知を送信することによって、任意の複数のアイドルモードＭＴＣデバイスに前記システム情報更新を通知する手段と、任意の複数の無線リソース制御「ＲＲＣ」接続モードＭＴＣデバイスに、ＭＴＣデバイス専用シグナリングを用いて前記システム情報を提供する手段と、を備える、基地局を提供する。
【００１９】
１つの態様において、本発明は、通信システムのためのマシンタイプ通信「ＭＴＣ」デバイスであって、該通信システムにおいて、複数のＭＴＣデバイスは基地局を介して通信し、該ＭＴＣデバイスは、前記基地局と無線リソース制御「ＲＲＣ」接続を形成して、ＲＲＣ接続モードに入る手段と、前記ＲＲＣ接続モードにあるとき、専用シグナリングを用いて、前記基地局のセルに関連付けられたシステム情報を得るように構成されたトランシーバと、を備える、マシンタイプ通信「ＭＴＣ」デバイスを提供する。
【００２０】
１つの態様において、本発明は、通信システムのための基地局によって実行される方法であって、該通信システムにおいて、複数のマシンタイプ通信「ＭＴＣ」デバイスは前記基地局を介して通信し、該方法は、システム情報更新が存在したことを前記複数のＭＴＣデバイスに通知する要件が存在することを判断し、ページングメッセージを用いて通知を送信することによって、任意の複数のアイドルモードＭＴＣデバイスに前記システム情報更新を通知し、ＭＴＣデバイス専用シグナリングを用いて、任意の複数の無線リソース制御「ＲＲＣ」接続モードＭＴＣデバイスに前記システム情報を提供する、ことを含む、方法を提供する。
【００２１】
１つの態様において、本発明は、通信システムにおいてマシンタイプ通信「ＭＴＣ」デバイスによって実行される方法であって、該通信システムにおいて、該ＭＴＣデバイスは基地局を介して通信し、該方法は、前記基地局と無線リソース制御「ＲＲＣ」接続を形成して、ＲＲＣ接続モードに入り、前記ＲＲＣ接続モードにあるとき、専用シグナリングを用いて、前記基地局のセルに関連付けられたシステム情報を得る、ことを含む、方法を提供する。
【００２２】
本発明の態様は、上記で示した又は特許請求の範囲において記載される態様及び可能な形態において記載されるような方法を実行するようにプログラマブルプロセッサをプログラムするように、及び／又は特許請求の範囲のいずれかの請求項において記載される装置を提供するように適切に構成されたコンピュータをプログラムするように動作可能である命令が記憶されたコンピュータ読取り可能記憶媒体のような対応するシステム、方法及びコンピュータプログラム製品に及ぶ。
【００２３】
本明細書（特許請求の範囲を含む）において開示され、及び／又は図面において示される各特徴は、開示され、及び／又は図示される任意の他の特徴から独立して（又はそれらと組み合わせて）本発明に組み込まれる場合がある。詳細には、限定はしないが、特定の独立請求項に従属する請求項のうちのいずれかの特徴は、任意の組み合わせにおいて又は個々に、その独立請求項に取り込まれる場合がある。
【００２４】
次に、本発明の実施形態を、単に例として、添付の図面を参照しながら説明する。
【図面の簡単な説明】
【００２５】
【図１】本発明の複数の実施形態を適用することができる遠距離通信システムを概略的に示す図である。
【図２】図１に示す通信デバイスの主な構成要素を示すブロック図である。
【図３】図１に示す基地局の主な構成要素を示すブロック図である。
【図４】図１に示すシステムにおいてページングを達成することができる例示的な方法を示す図である。
【図５】図１に示すシステムにおいて用いることができる例示的なページング構成オプションを示す図である。
【図６】図１に示すシステムにおいて用いることができる別の例示的なページング構成オプションを示す図である。
【図７】図１に示すシステムにおいて用いることができる別の例示的なページング構成オプションを示す図である。
【図８】図１に示すシステムにおいて用いることができる別の例示的なページング構成オプションを示す図である。
【図９】図１に示すシステムにおいて通信デバイスのために（特定のセルにおいて用いられるために）必要とされるカバレッジ拡張レベルを決定することができる例示的な方法を示す図である。
【図１０】図１に示すシステムにおいて通信デバイスのために（特定のセルにおいて用いられるために）必要とされるカバレッジ拡張レベルを決定することができる別の例示的な方法を示す図である。
【発明を実施するための形態】
【００２６】
＜概略＞
図１は、複数の通信デバイス３（移動電話機３−１及びＭＴＣデバイス３−２等）がＥ−ＵＴＲＡＮ基地局５（「ｅＮＢ」と表記する）及びコアネットワーク７を介して、互いに及び／又は他の複数の通信ノードと通信することができる、移動（セルラ）遠距離通信システム１を概略的に示す。当業者であれば理解するように、図１には、例示の目的で、１つの移動電話機３−１、１つのＭＴＣデバイス３−２、及び１つの基地局５が示されているが、このシステムは、実施されるとき、通常、他の複数の基地局と複数の通信デバイスとを含む。
【００２７】
各通信デバイス３は、複数のＵＥの１つ以上のカテゴリに分類してよい。複数のＵＥの第１のカテゴリは、ＬＴＥ標準規格の以前のリリース（例えば、Ｒｅｌ−８、Ｒｅｌ−９、Ｒｅｌ−１０、Ｒｅｌ−１１、及び／又はＲｅｌ−１２）のみをサポートする、複数の通信デバイスを含む。そのような複数の通信デバイスは、一般に古いＵＥと呼ばれる（基地局５は複数のＬＴＥ標準規格のＲｅｌ−１３に従って動作していると仮定している）。このカテゴリに属する幾つかの通信デバイスは、ＥＰＤＣＣＨをサポートしない場合がある（ＰＤＣＣＨのみをサポートする）ことが理解されるであろう。複数のＵＥの第２のカテゴリは、ＬＴＥ標準規格の現在のリリース（例えば、Ｒｅｌ−１３及び／又はそれ以降）をサポートする、複数の通信デバイスを含む。複数のＵＥの第３のカテゴリは、複数の削減帯域幅ＵＥ（例えば、１．４ＭＨｚ帯域幅のみを用いることが可能な複数のＲｅｌ−１３ＭＴＣデバイス）を含む。これらのＵＥは、基地局５のセルにおいて利用可能な帯域幅全体にわたって通信することができない。複数のＵＥの第４のカテゴリは、複数のカバレッジ拡張ＵＥ（例えば、幾つかのＭＴＣデバイス）を含む。これらのＵＥは、幾つかの特定の基地局機能が単純化及び／又は緩和されることを要する（ただし、そのような複数のカバレッジ拡張ＵＥは、他の機能を通常どおりサポートすることができる）。
【００２８】
この例では、移動電話機３−１はＲｅｌ−１３ＵＥから成り、ＭＴＣデバイス３−２は削減帯域幅ＭＴＣデバイス（適切なカバレッジ拡張レベルのために構成されてよい）から成る。図１には示されていないが、複数の他のＭＴＣデバイスも基地局５のセル内に存在することが想定されている。
【００２９】
基地局５は、Ｓ１インターフェースを介してコアネットワーク７に接続される。コアネットワーク７は、数ある中でも、コアネットワーク７の外側でホスティングされる、インターネット及び／又はサーバ等の他の複数のネットワークに接続するためのゲートウェイと、通信ネットワーク１内の通信デバイス３（例えば、移動電話機及びＭＴＣデバイス）のロケーションの追跡を維持するためのモビリティ管理エンティティ（ＭＭＥ）と、加入関連情報（例えば、いずれの通信デバイス３がマシンタイプ通信デバイスとして構成されるかを特定する情報）を記憶し、かつ各通信デバイス３に固有の制御パラメータを記憶するためのホーム加入者サーバ（ＨＳＳ）とを備える。
【００３０】
基地局５は、当該基地局５のセル内に位置する通信デバイス３による受信のための、物理ダウンリンク制御チャネル（ＰＤＣＣＨ）と拡張ＰＤＣＣＨ（ＥＰＤＣＣＨ）とを送信するように構成されている。（Ｅ）ＰＤＣＣＨは、複数のアップリンクリソース及びダウンリンクリソースを複数の通信デバイス３に割り当てる。ＰＤＣＣＨとＥＰＤＣＣＨとの間の１つの相違は、ＥＰＤＣＣＨが、このＥＰＤＣＣＨを複数のＲｅｌ−１３削減帯域幅ＭＴＣデバイスに適合させる、相対的に狭い周波数スペクトル（１．４ＭＨｚ）を用いる一方、ＰＤＣＣＨが、複数の古い通信デバイスとの後方互換性を提供するために、それよりも広い周波数スペクトルを用いるということである。
【００３１】
いわゆる共通探索空間（ＣＳＳ）は、全ての／複数の通信デバイス３に共通のダウンリンク制御情報（ＤＣＩ）を搬送するＰＤＣＣＨ（ら）をブラインド復号するための、セル内の全ての／複数のＵＥ用の探索空間である。例えば、ＣＳＳは、セルアクセスパラメータに関連する情報を含むシステム情報ブロック（ＳＩＢ）、ランダムアクセスチャネル（ＲＡＣＨ）メッセージ、及び／又はページングチャネル（ＰＣＨ）のための、ダウンリンク制御情報（ＤＣＩ）を搬送してよい。ＬＴＥ  Ｒｅｌ−１３では、ＣＳＳ（「ｅＣＳＳ」とも呼ばれる）は、ＥＰＤＣＣＨの探索空間の一部を形成する。
【００３２】
ダウンリンク及びアップリンクにおける１．４ＭＨｚの削減帯域幅に起因して、ＭＴＣデバイス３−２は、セル帯域幅全体にわたって密に拡散したＰＤＣＣＨ（すなわち、これは、ＭＴＣデバイス３−２によってサポートされる１．４ＭＨｚの外側にある周波数にわたって送信される場合がある）を受信することができない。一方、ＭＴＣデバイス３−２は、６ＲＢにわたって、すなわち、ＭＴＣデバイス３−２によってサポートされる１．４ＭＨｚの帯域内で送信される、ＥＰＤＣＣＨ  ＣＳＳ（ｅＣＳＳ）を受信することができる。
【００３３】
複数のＭＴＣデバイスをサポートするために、基地局５のセルの帯域幅は、複数のサブバンド（例えば、重複していないサブバンド）を含み、各サブバンドは、６ＲＢ（又は６ＲＢ未満）から成る。有益なことに、複数の帯域幅削減ＭＴＣデバイスは最大で１．４ＭＨｚ帯域幅（これは概ね６ＲＢに対応する）にわたって通信することができるため、通信デバイス３−２は、自身のトランシーバが現在チューニングされている特定のサブバンドにわたって（ｅＣＳＳ及び他の）データを送受信することができる。
【００３４】
複数のページングメッセージは、複数のＭＴＣデバイス（例えば、複数の低複雑度ＭＴＣデバイス及び／又は複数のカバレッジ拡張ＭＴＣデバイス）のために、及び他の複数の通信デバイスのために、別個に送信される。複数のＭＴＣデバイスのためのページングメッセージは、複数のバンドルサイズ／繰り返しレベル（カバレッジ拡張の必要なレベルに従う）を持つ、ＰＤＳＣＨサブフレームバンドル化／繰り返しをサポートする。有益なことに、通信デバイス３−２をページングする基地局５には、通信デバイス３−２が低複雑度の（帯域幅削減）ＭＴＣデバイス、及び／又はカバレッジ拡張のために構成されたＭＴＣデバイスを含むと判断することを可能にする、情報が与えられる。基地局５には、ページングメッセージ送信中に必要とされるカバレッジ拡張（繰り返し）の量を判断することを可能にする情報が与えられる。
【００３５】
有利なことに、基地局５及びＭＴＣデバイス３−２は、基地局５のセルにおいてページング（及び実際には他の通信）のために同じＣＥレベルを用いるように構成される。適切なＣＥレベルは、基地局５によって又はＭＴＣデバイス３−２によって（例えば、信号強度又は信号品質に基づいて）決定されてよく（及び他の基地局又はＭＴＣデバイスに通知される）。適切なＣＥレベルは、基地局５とＭＴＣデバイス３−２との間で（直接又はコアネットワーク７を介して）同期したままにされる。有益なことに、通信デバイスのための適切なＣＥレベルはコアネットワーク（例えば、ＭＭＥ）に通知され、このため、ページングの開始時に、ＭＭＥが特定の追跡エリア（ＴＡ）のセルごとにそれぞれのページング基地局に、ページングされているＭＴＣデバイスのためのそのセルにおける適切なＣＥレベルを用いるように命令することができる。
【００３６】
ページングされる通信デバイスがいわゆるアイドル状態で動作しているとき、そのロケーションは、（セルレベルではなく）追跡エリア（ＴＡ）ベースでのみＭＭＥに知られていることが理解されるであろう。したがって、ＭＭＥは、（例えば、図１における基地局５を含む）そのＴＡ内の全ての基地局に、ページングされた通信デバイスに関して自身のセルに必要なＣＥレベルを用いることによって、適切にフォーマット設定されるＲＲＣページングメッセージ（ＲＲＣページングメッセージにおけるその通信デバイスのためのページングレコードを含む）を送信するように命令する。本明細書において用いられるとき、アイドル状態という用語は、通信デバイスが、自身のトランシーバがアクティブであってよい（例えば、依然としてブロードキャストデータを受信し、信号を測定行うこと等ができる）にもかかわらず、現在自身の専用無線ベアラ（ら）にわたってユーザデータを送信／受信していない動作モードを指す。
【００３７】
従来のページングに関して、ページング機会（ＰＯ）は、複数のＭＴＣデバイスをページングするために構成される。有益なことに、しかしながら、ＰＯは、或る特定のサブバンドにおいて複数のサブフレーム（複数のサブフレームの「束」）を（例えば、複数のサブフレームのその束の、開始点又は第１のサブフレームのインデックスを定義することによって）定義する。
【００３８】
以下でより詳細に説明される例では、システムは、ｅＰＤＣＣＨを介した複数のページング送信のスケジューリング（例えば、レイヤー１（Ｌ１）スケジューリング）を用いてよい。一方、特に有益な例では、制御なしページング、すなわち、ｅＰＤＣＣＨにおいて関連リソースがスケジューリングされることを必要としないページングが用いられる。代わりに、複数のページングメッセージは、所定のサイズの送信ブロックにわたって（所定のサブバンドにわたって）送信され、これは、基地局５のセル内の各通信デバイス３によって受信され得る。
【００３９】
ＰＯによって定義される複数のサブフレームの束は、ｅＰＤＣＣＨがページング送信をスケジューリングするのに用いられる場合に、ＭＴＣデバイスがページングメッセージのスケジューリングのためにｅＰＤＣＣＨの繰り返しを監視することになる、複数のサブフレームである。ＰＯによって定義される複数のサブフレームの束は、ｅＰＤＣＣＨがページング送信のスケジューリングのために用いられない場合に、ＭＴＣデバイスがページングメッセージのためにＰＤＳＣＨの繰り返しを監視することになる、複数のサブフレームである。
【００４０】
基地局５は、異なるそれぞれのリソース及び／又はページング領域間で異なるＣＥレベルを持つ複数のＭＴＣデバイスのためのページングを効果的に分離するために、ＣＥレベルごとに異なるリソース及び／又はページング領域を構成してよい。一方、特に有利な例では、複数のページングメッセージ送信は、異なるカバレッジ拡張レベルについて分離されていない（全てのＭＴＣデバイスが、ＣＥレベルにかかわらず、同じサブバンドにおいてスケジューリングされたページング又は制御なしページングから利益を受けることを可能にする）。この場合、複数のページングメッセージ送信は、ｅＰＤＣＣＨを用いても用いなくても実現されてよい。
【００４１】
要約すると、上記で説明した通信システムは、複数のＭＴＣデバイスの複数の制約に特に焦点を当てて、基地局のセル内の複数のページング通信デバイスのための様々な有益なオプションをサポートする。複数のページングメッセージは、セル内の複数の古い及び／又は従来の通信デバイスに（大きく）影響を与えることなく、動的に、かつ（適用可能な場合）ＭＴＣデバイスごとに必要とされるＣＥレベルに依拠して、スケジューリングされ得る。
【００４２】
＜通信デバイス＞
図２は、図１に示す通信デバイス３の主な構成要素を示すブロック図である。通信デバイス３は、マシンタイプ通信デバイスとして構成された、ＭＴＣデバイス又は移動（又は「セルラ」）電話機であってよい。通信デバイス３は、少なくとも１つのアンテナ３３を介して基地局５に対して信号を送受信するように動作可能なトランシーバ回路３１を備える。通常、通信デバイス３は、ユーザが通信デバイス３とインタラクトすることを可能にするユーザインターフェース３５も備えるが、このユーザインターフェース３５は、幾つかのＭＴＣデバイスについては省略されてよい。
【００４３】
トランシーバ回路３１の動作は、メモリ３９に記憶されたソフトウェアに従ってコントローラ３７によって制御される。このソフトウェアは、とりわけ、オペレーティングシステム４１、通信制御モジュール４３、スケジューリング決定モジュール４４、ＭＴＣモジュール４５、及びページングモジュール４７を含む。
【００４４】
通信制御モジュール４３は、通信デバイス３と基地局５及び／又は（基地局５を介した）他の複数の通信ノードとの間の通信を制御する。
【００４５】
スケジューリング決定モジュール４４は、（適用可能な場合）所定の複数のＰＯにおける基地局５による複数の送信を監視し、監視されている複数のＰＯがページング送信をスケジューリングするための制御データを含むか否かを判断する。監視されているＰＯがそのような制御データを含まない場合、スケジューリング決定モジュール４４は、ページング送信に関連付けられた複数の通信リソース（例えば、サブフレーム／サブバンド）を決定する。制御なしが用いられる場合、スケジューリング決定モジュール４４は、複数の制御なしページングメッセージを送信することができる、複数のリソースを特定する情報を維持し、ページングモジュール４７に、そのリソースにおいて送信された複数のページングメッセージを復号するように命令する。
【００４６】
ＭＴＣモジュール４５は、複数のマシンタイプ通信タスクを実行するように動作可能である。例えば、ＭＴＣモジュール４５は、（トランシーバ回路３１を介して）リモートサーバに（例えば、周期的に及び／又はトリガの検出時に）送信するためのデータを収集してよい。ＭＴＣモジュール４５は、通信デバイス３をサービングする基地局５のセル内で使用される適切なＣＥレベルを得る（基地局５から決定する及び／又は取得する）ことも担当する。
【００４７】
ページングモジュール４７は、通信デバイス３に対しアドレス指定されたページングメッセージを、（スケジューリングモジュール４４によって決定された複数の適切な通信リソースを介して）受信し、処理する。
【００４８】
＜基地局＞
図３は、図１に示す基地局５の主な構成要素を示すブロック図である。基地局５は、１つ以上のアンテナ５３を介して複数の通信デバイス３に対して信号を送受信するように動作可能なトランシーバ回路５１を備えるＥ−ＵＴＲＡＮ基地局（ｅＮＢ）から成る。基地局５は、適切なコアネットワークインターフェース５５（Ｓ１インターフェース等）を介してコアネットワーク７に対して信号を送受信するようにも動作可能である。トランシーバ回路５１の動作は、メモリ５９に記憶されたソフトウェアに従ってコントローラ５７によって制御される。
【００４９】
このソフトウェアは、とりわけ、オペレーティングシステム６１、通信制御モジュール６３、ページングモジュール６５、システム情報モジュール６７、及びＭＴＣサポートモジュール６９を含む。
【００５０】
通信制御モジュール６３は、複数の通信デバイス３との通信を制御する。
【００５１】
ページングモジュール６５は、基地局５のセル内に位置する複数の通信デバイス３のための複数のページングメッセージを（通信制御モジュール６３を介して）生成し、送信する。
【００５２】
システム情報モジュール６７は、（基地局５のセルの構成等の）システム情報のブロードキャスト、及び／又は基地局５のセル内に位置する複数の通信デバイス３による受信のための他の複数のブロードキャスト送信を担当する。例えば、ブロードキャスト部は、適切なＰＯ（ら）にわたって、（ページングモジュール６５によって生成される）複数のページングメッセージを送信する。
【００５３】
ＭＴＣサポートモジュール６９は、基地局５のセル内の複数のＭＴＣデバイスのための複数のメッセージを処理する（生成、送信及び受信する）。ＭＴＣサポートモジュール６９は、（構成される場合、ＣＥレベルに依拠して）必要な数の繰り返しを用いて、及び（複数のＭＴＣデバイスによってサポートされる所与のサブフレーム／１．４ＭＨｚ帯域内の）適切な時間及び複数の周波数リソースを用いてそのような各メッセージが送信されることを確実にすることを担当する。ＭＴＣサポートモジュール６９は、通信デバイス３と通信するときに、基地局５のセル内で用いられる適切なＣＥレベルを得る（コアネットワーク７から決定する及び／又は得る）ことも担当する。
【００５４】
上記説明では、通信デバイス３及び基地局５を、理解を容易にするために複数の別々のモジュールを持つものとして説明した。これらのモジュールは、例えば、既存のシステムが本発明を実施するように変更された幾つかの特定の用途についてはこのように提供されてよいが、他の用途、例えば、本発明の特徴を最初から考慮して設計されたシステムでは、これらのモジュールは、全体のオペレーティングシステム又はコードに組み込まれてよく、そのため、これらのモジュールは、別々のエンティティとして区別されない場合がある。
【００５５】
＜動作−通常＞
図４は、図１に示す通信システム１においてページングを実現することができる例示的な方法を示す。特に、この例において、複数のページングメッセージは、関連制御データ（ＤＣＩ）が複数のページング送信のスケジューリングのために（Ｅ）ＰＤＣＣＨにわたって一切送信されることなく、ＰＤＳＣＨにわたって送信される。有益なことに、ロケーション（例えば、時間／周波数リソース）と（例えば、関連トランスポートブロックサイズ（ＴＢＳ）によって決定される）ページングメッセージのサイズとが、システム情報ブロードキャストを介して構成される。
【００５６】
さらに、ページングメッセージのロケーション及び／又はサイズは、必要な場合、システム情報ブロードキャストを介しても更新されてよい。例えば、基地局５は、以下のうちの少なくとも１つに基づいて、システム情報を介してメッセージをページングするためにＴＢＳを示し／調整することができる。
−セル内の（現在の）平均ＭＴＣページング負荷、
−セル内の接続されたＵＥ数、及び
−基地局（ＭＴＣページングに限定されない）のための（測定／決定／推定される）リソース使用。
【００５７】
さらに、現在基地局５のセルのために構成されているＰＯ（ら）（例えば、ｅＰＤＣＣＨ／ＰＤＳＣＨにおけるその開始点）等のシステム情報により、他のページング関連情報が示されてもよい。通信デバイスのカテゴリごと及び／又はＣＥレベルごとに、異なるＰＯ（ら）が構成されてよい（そしてシステム情報を介してブロードキャストされてよい）ことが理解されるであろう。
【００５８】
＜動作−システム情報変化のためのページング＞
基地局５のセル内に位置する複数の通信デバイス３に、システム情報（例えば、ＰＯ構成、ページングＴＢＳ、チャネル構成等）の変化を通知するために、基地局５は、適切にフォーマット設定されたページングメッセージを生成し、通信デバイス３に送信するように構成される。システム情報変化ページングは、存在する場合、他の複数の正規の（ＵＥ固有の）ページングレコードと共に送信される（「systemInfoModification」ビットとして知られる）１ビットインジケータを用いて実行される。これが任意のシステム情報エレメントを変化させようとしているとき、基地局５は、各通信デバイス３が更新されたシステム情報を遅延なしで受信する機会を有することを確実にするために、このインジケータビットを自身のセル内の全ての通信デバイスのための全てのＰＯにおいて送信する。システム情報変化インジケータビットを含むページングメッセージを（任意のＰＯを介して）受信する各通信デバイスは、次のシステム情報ブロードキャストを（例えば、「ＢＣＣＨ変更期間」の境界において）聴くことによって、更新されたシステム情報を得ることに進む。
【００５９】
一方、システム情報変化は、「ＲＲＣ＿ＩＤＬＥ」状態及び「ＲＲＣ＿ＣＯＮＮＥＣＴＥＤ」状態において動作している複数の通信デバイスについて（少なくとも複数のＭＴＣデバイスについて）異なる方法で通知されてよいことが理解されるであろう。
【００６０】
ＲＲＣ＿ＩＤＬＥにおける複数のＵＥについてのシステム情報変化
アイドルモードにおける複数の通信デバイスについて、システム情報変更インジケータは、通常のページングレコード（ら）と共に送信されることが理解されるであろう。この場合、基地局５は、全てのＰＯにおいてシステム情報変化インジケータビットを送信し、それによって全てのタイプの通信デバイス（複数のＭＴＣデバイス及び複数の古いＵＥも含む）に対処する必要がある。
【００６１】
任意選択で、例えば、複数のシステム情報変化が比較的頻繁である場合、システム情報変更のためのページングは、通常のページングと分離されてよい。この場合、システム情報用のページングが、所定の共通のサブバンド（例えば、中央サブバンド）において送信されることが好ましく、全ての通信デバイスが、（少なくともＰＯの間）この共通サブバンドにおいて機能し、このサブバンドの１つ以上のＰＯにおいてシステム情報変更ビットについて監視するように構成される必要がある。結果として、複数のＭＴＣデバイスを、共通サブバンドにおけるシステム変更のためのページング機会中に他の複数のサブバンドにおいてスケジューリングされ得ない。一方、この場合、全てのサブバンドにおける全てのＰＯに「systemInfoModification」ビットを含める必要がないが、複数のＭＴＣデバイスによる何らかの更なるページング監視を必要とし、これにより電力消費が僅かに増大する可能性がある。
【００６２】
ＲＲＣ＿ＣＯＮＮＥＣＴＥＤにおける複数のＵＥについてのシステム情報変化
ＲＲＣ＿ＣＯＮＮＥＣＴＥＤモードにおける複数の通信デバイスは、ページングを監視するためのサブバンドと異なるサブバンドにおいてスケジューリングされる可能性が高い。任意の場合に、上記のように、システム情報変更インジケータが、通常のページングレコード（ら）と共に送信されてよく、すなわち、基地局５は、全てのタイプの通信デバイスに到達するために、全てのサブバンドにおける全てのＰＯにおいてシステム情報変化インジケータビットを送信する必要があることが理解されるであろう。一方、このオプションは、ＲＲＣ＿ＣＯＮＮＥＣＴＥＤモードにおける複数の通信デバイスが、システム情報変化通知を得るために、自身の関連付けられたページングサブバンドを再チューニングすることを必要とする場合がある。
【００６３】
したがって、このシステムにおいて、システム情報における変化に関して複数のＲＲＣ＿ＣＯＮＮＥＣＴＥＤ通信デバイス（少なくとも複数のＭＴＣデバイス）に通知するために、専用シグナリングが用いられる。例えば、特定の通信デバイスのための進行中のデータ送信が存在する場合、更新されたシステム情報（少なくともその変化した部分）及びその通信デバイスに送信されている他のデータを多重化することが可能である。したがって、更新されたシステム情報はユニキャスト送信により送信されるため、複数のＲＲＣ−ＣＯＮＮＥＣＴＥＤ通信デバイスは、システム情報変更について自身の関連付けられたＰＯを監視することを必要とされない。この結果、複数の通信デバイス、特に、限られた帯域幅にわたって動作する複数のＭＴＣデバイスの動作を改善することができる。
【００６４】
別のオプションにおいて、ＲＲＣ＿ＣＯＮＮＥＣＴＥＤにおいて動作している通信デバイスに、その通信デバイスのＲＲＣ接続を解放することによってシステム情報を得るように強制することが可能であり得る。これは、例えば、この通信デバイスへの進行中のデータ送信がない（このため、データ損失のリスクが最小限に保たれる）場合に有益とすることができる。そのＲＲＣ接続が解放されると、通信デバイスは、（デフォルト手順に関する）ブロードキャストチャネルを介して送信されるシステム情報を読み出すことに進む。
【００６５】
ユニキャストベースのオプション及びＲＲＣ解放ベースのオプションを、（実施に依拠して）基地局５によって共に用いてよいことが理解されるであろう。
【００６６】
＜動作−ＰＯ構成＞
現在のＬＴＥ標準規格において、ページング機会（ＰＯ）は、ページングメッセージをスケジューリングするためにＰＤＣＣＨにおいて送信されるＰ−ＲＮＴＩが存在してよい、サブフレームとして定義される。無線フレームは、１つ〜４つのＰＯを含んでよい。ＤＲＸが用いられるとき、ＵＥは、ＤＲＸサイクルごとに１つのＰＯのみを監視する必要がある。
【００６７】
一方、本システムにおいて、複数のＰＯは、複数のＭＴＣデバイスのための繰り返しも（適宜）サポートされるように定義される。特に、このシステムにおけるあるＰＯは、或る特定のサブバンドにおけるサブフレームの束（の開始部分）として定義される。ここで、
−ｅＰＤＣＣＨがページング送信のために必要とされる場合、ＵＥは、ページングメッセージのスケジューリングのためにｅＰＤＣＣＨの繰り返しを監視し、又は
−ＵＥは、ｅＰＤＣＣＨがページング送信のために必要とされない場合、ページングメッセージのためにＰＤＳＣＨの繰り返しを監視する。
【００６８】
さらに、（例えば、異なるＣＥレベルを持つ複数のＭＴＣデバイスをサポートするために）異なるサブバンドについて異なる複数のＰＯが存在してよい。
【００６９】
図５〜図８は、複数の様々なＰＯ構成オプション及びこのシステムにおいて結果として得られる複数のページング送信の更なる詳細を示す。
【００７０】
特に、図５及び図６に示す例は、複数のページングメッセージ送信が異なる複数のカバレッジ拡張レベルについて分離されるときのシナリオを示す。
【００７１】
図５は、ｅＰＤＣＣＨ（ｅＣＳＳ）を用いた複数のページングメッセージ送信を示す。この例において、ＭＴＣデバイスがＰＤＳＣＨ上でページングメッセージを取得することを可能にするスケジューリング情報（例えば、時間周波数リソース、ＭＣＳ／ＴＢＳ）が、ｅＰＤＣＣＨにおいて動的に示される。この場合、ＣＥレベルごとに、異なるＰ−ＲＮＴＩ及び／又は異なるｅＣＳＳが用いられてよい。
【００７２】
図６は、ｅＰＤＳＣＨを用いない複数のページングメッセージ送信を示す。この解決策は、「制御なし」ページングと呼ばれてよく、すなわち、ＭＴＣデバイスがＰＤＳＣＨ上でページングメッセージを取得することを可能にするスケジューリング情報（例えば、時間周波数リソース、ＭＣＳ／ＴＢＳ）が、ｅＰＤＣＣＨにおいて動的に示されないが、システム情報において所定であるか又はシステム情報内で示される（又はその一部を形成する）。この場合、異なる複数のＣＥレベルについて（ＰＤＳＣＨ内の）異なる時間及び／又は複数の周波数リソースが割り当てられてよい。例えば、図４を参照して上記で説明したように、図６に示すＰＤＳＣＨベースのシナリオでは、制御なしページングはＣＥレベルごとに実現されてよいことが効果的であることが理解されるであろう。
【００７３】
図７及び図８に示す例において、複数のページングメッセージ送信は、異なる複数のカバレッジ拡張レベルについて分離されない。特に、図７は、ｅＰＤＣＣＨを用いた複数のページングメッセージ送信を示し、図８は、ｅＰＤＣＣＨなしでの（例えば、ｅＰＤＣＣＨが複数のページング送信に用いられないか、用いることができないときの）複数のページングメッセージ送信を示す。例えば、図４を参照して上記で説明したように、図８に示すシナリオにおいて、制御なしページングが実現されてよいことが効果的であることが理解されるであろう。
【００７４】
＜動作−ＣＥレベル決定＞
以下において、基地局５のセルにおいて特定のＭＴＣデバイス３−２のための適切なＣＥレベルを決定するための、並びにＭＴＣデバイス３−２及びそのサービング基地局５の双方によって、それらの互いに対する通信において同じＣＥレベルが用いられることを確実にするための、複数のオプションを説明する。
【００７５】
図９は、サービング基地局５（「ｅＮＢ」と示される）が、特定のＭＴＣデバイス（「ＵＥ」と示される）が所与のセルにおいていずれのＣＥレベルを用いるべきかを判定することを担当するオプションを示す。
【００７６】
ステップＳ９２に示されるように、基地局５は（自身のＭＴＣサポートモジュール６９を用いて）、（全体としてステップＳ９１に示されるような）基地局５のセル内で基地局５とＭＴＣデバイス３−２との間で実行される（図９において「ＲＡＣＨ」と表される）ランダムアクセス手順に基づいて、ＭＴＣデバイス３−２用に適したＣＥレベルを決定するように構成される。
【００７７】
基地局５は、ＭＴＣデバイス３−２のための適切なＣＥレベルを決定すると、（ステップＳ９３において）コアネットワーク７（例えば、ＭＭＥ／ＨＳＳ）に、いずれがこの情報を後の使用（例えば、この基地局５を介したＭＴＣデバイス３−２のページング）のために記憶するかを通知する。
【００７８】
全体としてステップＳ９４に示されるように、基地局５は、別個のメッセージにおいて、又はランダムアクセス手順の一部として（例えば、ステップＳ９４はステップＳ９１の一部を形成してよい）、自身のセルについて決定されたＣＥレベルをＭＴＣデバイス３−２に通知してもよい。基地局５は、例えば、決定されたＣＥレベルに対応する（ランダムアクセス手順中及び／又はランダムアクセス手順後に）所与の数の繰り返しを用いることによって、ＣＥレベルを暗黙的にＭＴＣデバイスに通知するように構成されてよいことが理解されるであろう。
【００７９】
基地局５が、ＲＡＣＨ手順に基づいて、ＭＴＣデバイスのための適切なＣＥ／繰り返しレベルを導出することができる、複数の方法が存在することができることが理解されるであろう。ＲＡＣＨ手順は、例えば、以下を含む。
１）異なるＣＥレベルを持つ複数のＭＴＣデバイスが、複数のプリアンブルリソースと対応する複数のＣＥレベルとの間の適切な所定の関係マッピングに従って、異なる複数のプリアンブルリソース（対応する複数の異なる繰り返し回数を有する）を用いてよい。この場合、基地局は、ＭＴＣデバイス３−２によっていずれの複数のプリアンブルリソースが用いられるかに基づいて（及び／又はＭＴＣデバイス３−２によって用いられる複数の繰り返し回数に基づいて）適切なＣＥレベルを判断することができる。一方、この場合、任意選択で、基地局は、（例えば、基地局５が、そのＣＥレベルのために必要とされるよりも少ない繰り返しを組み合わせることによってＭＴＣデバイスのプリアンブル送信の復号に成功することができる場合）複数のプリアンブルリソースと対応する複数のＣＥレベルとの間の関係マッピングによって示されるＣＥレベルと異なるＣＥレベルを用いるように構成されてもよい。
２）そうではなく、異なるＣＥレベルごとに構成された関連付けられたプリアンブルリソースセットが存在しない場合、基地局５は、ＭＴＣデバイス３−２によって送信されるプリアンブルの復号に成功するために必要とされる繰り返しの数に基づいて、カバレッジレベルを決定するように構成されてよい。
【００８０】
さらに、例えば、ＭＴＣデバイス３−２がこのセルに接続されたことがない場合／又は所定の時間窓内でこのセルに接続されていない場合、以下の複数のオプションのうちの１つ以上を用いてもよい。
３）基地局５は、ＭＴＣデバイス３−２が接続されたことがない（又は所定の時間窓内で接続されたことがない）セル内のＭＴＣデバイス３−２のための最大及び／又はデフォルトＣＥ／繰り返しレベルを仮定するように構成されてよい。
４）ＭＴＣデバイス３−２が（基地局５の）新たなセルを再選択した場合、基地局５に新たなセル内のそのＭＴＣデバイス３−２の関連ＣＥレベルを検出させるために、適切なＲＡＣＨ手順を（ＭＴＣモジュール４５によって）トリガしてよく、そうでない場合、ＭＴＣデバイス３−２は、そのセルを介してＲＡＣＨ手順を実行するまで、新たなセルにおいてページングされなくてよく（ただし、ＭＴＣデバイス３−２は依然として他の複数のセルにおいてページングされている）、又はＭＴＣデバイス３−２は、この新たなセルにおける最大及び／又はデフォルトＣＥ／繰り返しを仮定することによってページングされることになる。
【００８１】
ＭＴＣデバイスの必要とされるＣＥレベルが（例えば、独自の推定に基づいて）セル内で、特にＭＴＣデバイスが現在キャンプオンしている現在のセル内で変化する場合、基地局５に（そのセルのための）ＭＴＣデバイスのために記憶された関連ＣＥレベルを更新させるために、（ＭＴＣモジュール４５によって）適切なＲＡＣＨ手順をトリガしてよいことが理解されるであろう。
【００８２】
したがって、有益なことに、このオプションは、適切なＣＥレベルの決定において基地局５のための更なる制御を可能にする。この場合、同じＭＴＣデバイスは、複数の異なるセルにおいて複数の異なるＣＥ／繰り返しレベルを持ってよい。一方、そのようなセル固有のＣＥレベルは、ＭＴＣデバイスごとに、コアネットワーク７（ＭＭＥ／ＨＳＳ）に記憶され得、それによって、各ＭＴＣデバイスは、そのセル内に必要とされる適切なＣＥレベル（及び複数の繰り返し）を用いて任意のセル内でページングされ得る。このため、ステップＳ９５において、ＭＭＥは、ＭＴＣデバイス３−２のページングを開始するとき、自身のページング要求内に、セルＩＤ（ら）と、このＭＴＣデバイス３−２がページングされることになるセルごとのそれぞれの関連付けられたＣＥ／繰り返しレベルとを含む。
【００８３】
全体としてステップＳ９６に示されるように、基地局５及びＭＴＣデバイス３−２の双方が同じＣＥレベルを用いるため、基地局５は、そのＣＥレベルに対応する正しいＰＯリソース上で送信するように動作可能である（そしてＭＴＣデバイス３−２はそのＰＯリソース上で監視するように動作可能である）。このため、ステップＳ９７において、基地局５がＭＴＣデバイス３−２のための（Ｓ９６においてＰＯを介してスケジューリングされた）ページングメッセージを送信するとき、基地局５は、そのＭＴＣデバイス３−２のための正しいＣＥレベルを適用する（そして、存在する場合、必要な数の繰り返しを用いる）ことができる。
【００８４】
図１０は、ＭＴＣデバイス３−２が、このＭＴＣデバイス３−２が所与のセルにおいていずれのＣＥレベルを用いるかを判定することを担当するオプションを示す。
【００８５】
特に、この場合、（ステップＳ１０２における）ＭＴＣデバイス３−２の判断は、ＭＴＣデバイス３−２の近傍における複数のセル（例えば、全ての検出されたセル）の（ダウンリンク）無線状態の測定値に基づく。ＭＴＣデバイス３−２は、少なくとも自身の現在のサービングセル、例えば、基地局５のセルのための無線状態を測定してよいことが理解されるであろう。
【００８６】
ステップＳ１０２において、いったんＭＴＣデバイス３−２が、特定のセル（又は複数のセルのためのそれぞれのＣＥレベルの組）のための自身の適切なＣＥレベルを決定すると、ＭＴＣデバイスは、コアネットワーク７（例えば、ＭＭＥ／ＨＳＳ）に、適用可能なＣＥレベル（ら）及び（任意選択で）対応するセルＩＤ（ら）を通知する。ＭＴＣデバイス３−２は、能力レポート（等）の一部として、（存在する場合、セルＩＤ（ら）に対応する）適用可能なＣＥレベル（ら）を報告してよいことが理解されるであろう。
【００８７】
ＭＴＣデバイス３−２が（例えば、独自の推定／信号測定値に基づいて）、必要なＣＥレベルが（少なくとも１つのセル内で）変化した、特に、ＭＴＣデバイス３−２が現在キャンプオンしている現在のセル内で変化したと判断する場合、ＭＴＣデバイス３−２は、コアネットワーク７に通知し、（ＣＥレベルが変化した少なくとも１つのセルについて）ＭＴＣデバイスのために記憶された関連ＣＥレベルを更新してよい。
【００８８】
以下の条件のうちの１つ以上が満たされるとき、ＭＴＣデバイス３−２はＣＥレベルを報告／更新するように構成されてよいことが理解されるであろう。ｉ）ＭＴＣデバイスがアタッチ手順を実行する、ｉｉ）ＭＴＣデバイスがページングセルとして新たな近傍セルを見つける、及びｉｉｉ）ＭＴＣデバイスが、必要なＣＥレベルの変化及び／又はセル内の複数の無線状態の変化を判断する。
【００８９】
コアネットワーク７は、後に使用するために（例えば、ステップＳ１０５においてＭＴＣデバイス３−２をページングするために）この情報を記憶する。ステップＳ１０５〜Ｓ１０７は上記で説明したステップＳ９５〜Ｓ９７に対応し、このため、それらの説明を本明細書において簡単にするために省く。
【００９０】
このオプションに関連付けられる利点は、複数のセル（例えば、ＭＴＣデバイス３−２のための潜在的なページングセルを含む）のために必要とされるＣＥレベルを測定し、コアネットワーク７に一度に報告することができるということである。
【００９１】
＜変更及び代替＞
詳細な例示的な実施形態を上記で説明した。当業者であれば理解するように、上記において具現化された本発明から引き続き利益を得ながら、上記の例示的な実施形態に対して複数の変更及び代替を行うことができる。
【００９２】
上記の説明において、時間領域における繰り返しが全ての送信について仮定される。しかしながら、そのような繰り返しは、単純にするために、図４〜図１０では省かれる。
【００９３】
図５〜図８を参照して、複数のオプションを上記で説明した。これらのオプションは、互いに排他的でなく、単一のセル内で及び／又は近傍セル内で、オプションのうちの任意のものを同じシステム内に組み合わせてよいことが理解されるであろう。例えば、基地局は、例えば、周期的に、そのセル内のＭＴＣデバイスの数／タイプに依拠して、セル内の全体負荷に依拠して、通信タイプ（例えば、ブロードキャスト／ユニキャスト）に依拠して等で、１つの動作モードから別の動作モードに変更するように構成されてよい。
【００９４】
Ｅ−ＵＴＲＡＮ基地局（ｅＮＢ）として動作する基地局に関して、通信システムを説明したが、同じ原理は、マクロ基地局若しくはピコ基地局として動作する基地局、フェムト基地局、基地局機能の要素を提供する中継ノード、ホーム基地局（ＨｅＮＢ）、又は他のそのような複数の通信ノードにも適用されてよいことが理解されるであろう。
【００９５】
上記の例示的な実施形態では、ＬＴＥ遠距離通信システムを説明した。当業者であれば理解するように、本出願において説明される技法は、従前の３ＧＰＰタイプのシステムを含む、他の複数の通信システムにおいて用いられ得る。他の複数の通信ノード又は通信デバイスには、例えば、携帯情報端末、ラップトップコンピュータ、ウェブブラウザ等のような複数のユーザデバイスを含めてよい。
【００９６】
上記の例示的な実施形態では、基地局及び通信デバイスは、それぞれトランシーバ回路を備える。通常、この回路は専用ハードウェア回路によって形成される。しかしながら、幾つかの例示的な実施形態では、トランシーバ回路の一部を、対応するコントローラによって実行されるソフトウェアとして実装されてよい。
【００９７】
上記の例示的な実施形態では、複数のソフトウェアモジュールを説明した。当業者であれば理解するように、それらのソフトウェアモジュールは、コンパイル済みの形式又は未コンパイルの形式において与えられてよく、コンピュータネットワークを介して信号として、又は記録媒体において基地局又はユーザデバイスに供給されてよい。さらに、このソフトウェアの一部又は全部によって実行される機能は、１つ以上の専用のハードウェア回路を用いて実行されてよい。
【００９８】
基地局は、コアネットワークエンティティから、少なくとも１つのＭＴＣデバイスをページングするためのページング要求を受信する手段と、上記少なくとも１つのＭＴＣデバイスがページング関連情報を送信されることになるページング機会を決定する手段であって、上記ページング機会は、上記ページング関連情報が最初に送信され、次に繰り返されることになる複数のサブフレームを特定する、上記決定する手段と、上記ページング機会によって特定される上記複数のサブフレームにおいて、上記ページング関連情報を送信し、次に繰り返す手段と、を備えてよい。
【００９９】
ページング関連情報は、ページングメッセージを上記少なくとも１つのＭＴＣに送信するために用いられる時間及び／又は複数の周波数リソースを特定するスケジューリング情報から成ってよく、上記ページング機会によって特定される上記複数のサブフレームは、上記ページング関連情報を搬送する制御チャネルが送信されることになる複数のサブフレームであってよい。
【０１００】
少なくとも１つのＭＴＣデバイスは、第１のカバレッジ拡張レベルを持つ少なくとも１つのカバレッジ拡張ＭＴＣデバイスと、上記第１のカバレッジ拡張レベルと異なる第２のカバレッジ拡張レベルを持つ少なくとも１つのカバレッジ拡張ＭＴＣデバイスとから成ってよい。
【０１０１】
この場合、ページング関連情報は、第１のカバレッジ拡張レベルを持つ上記少なくとも１つのカバレッジ拡張ＭＴＣデバイスのためのページング関連情報を特定するための第１のページング識別子（例えば、無線ネットワーク一時識別子）と、第２のカバレッジ拡張レベルを持つ上記少なくとも１つのカバレッジ拡張ＭＴＣデバイスのためのページング関連情報を特定するための第２のページング識別子（例えば、異なる無線ネットワーク一時識別子）とから成ってよい。
【０１０２】
第１のカバレッジ拡張レベルを持つ上記少なくとも１つのカバレッジ拡張ＭＴＣデバイスのためのページング関連情報は、第１のサブフレームにおける制御チャネルにおいて最初に送信されてよく、第２のカバレッジ拡張レベルを持つ上記少なくとも１つのカバレッジ拡張ＭＴＣデバイスのためのページング関連情報は、上記第１のサブフレームと異なる第２のサブフレームにおける制御チャネルにおいて最初に送信されてよい。
【０１０３】
第１のカバレッジ拡張レベルを持つ上記少なくとも１つのカバレッジ拡張ＭＴＣデバイスのためのページング関連情報は、少なくとも１つのサブフレームにおける制御チャネルにおいて送信されてよく、この少なくとも１つのサブフレームにおいて、第２のカバレッジ拡張レベルを持つ上記少なくとも１つのカバレッジ拡張ＭＴＣデバイスのためのページング関連情報も、同じ制御チャネルを用いて送信される。
【０１０４】
ページング関連情報は、上記少なくとも１つのＭＴＣデバイスのための少なくとも１つのページングメッセージから成ってよく、上記ページング機会によって特定される上記複数のサブフレームは、上記少なくとも１つのページングメッセージが送信され、次に繰り返されることになる複数のサブフレームであってよい。この場合、基地局は、上記少なくとも１つのＭＴＣデバイスに対し、システム情報ブロックにおいて、上記少なくとも１つのページングメッセージを送信するのに用いられる複数のリソースを特定するためのスケジューリング情報を送信する手段を更に備えてよい。例えば、スケジューリング情報は、上記要求されたページングのためにトランスポートブロックサイズ「ＴＢＳ」を特定する情報から成ってよい。
【０１０５】
少なくとも１つのＭＴＣデバイスは、第１のカバレッジ拡張レベルを持つ少なくとも１つのカバレッジ拡張ＭＴＣデバイスと、上記第１のカバレッジ拡張レベルと異なる第２のカバレッジ拡張レベルを持つ少なくとも１つのカバレッジ拡張ＭＴＣデバイスと、から成ってよい。
【０１０６】
この場合、第１のカバレッジ拡張レベルを持つ上記少なくとも１つのカバレッジ拡張ＭＴＣデバイスのためのページングメッセージは、第１の所定の周波数リソースを用いて送信されてよく、第２のカバレッジ拡張レベルを持つ上記少なくとも１つのカバレッジ拡張ＭＴＣデバイスのためのページングメッセージは、上記第１の所定の周波数リソースと異なる第２の所定の周波数リソースを用いて送信されてよい。
【０１０７】
第１のカバレッジ拡張レベルを持つ上記少なくとも１つのカバレッジ拡張ＭＴＣデバイスのためのページングメッセージは、最初に、第１のサブフレームにおけるデータチャネルにおいて送信されてよく、第２のカバレッジ拡張レベルを持つ上記少なくとも１つのカバレッジ拡張ＭＴＣデバイスのためのページングメッセージは、最初に、上記第１のサブフレームと異なる第２のサブフレームにおけるデータチャネルにおいて送信されてよい。
【０１０８】
第１のカバレッジ拡張レベルを持つ上記少なくとも１つのカバレッジ拡張ＭＴＣデバイスのためのページングメッセージは、少なくとも１つのサブフレームにおけるデータチャネルにおいて送信されてよく、ここで、第２のカバレッジ拡張レベルを持つ上記少なくとも１つのカバレッジ拡張ＭＴＣデバイスのためのページングメッセージも同じデータチャネルにおいて送信される。
【０１０９】
少なくとも１つのＭＴＣデバイスが少なくとも１つのカバレッジ拡張ＭＴＣデバイスから成る場合、上記基地局は、上記少なくとも１つのカバレッジ拡張ＭＴＣデバイスに関連付けられたカバレッジ拡張レベルを特定する手段を更に含でよく、上記ページング関連情報を送信し、次に繰り返す上記手段は、上記カバレッジ拡張レベルによって規定される繰り返し数にわたって上記ページング関連情報の送信を繰り返すように構成されてよい。
【０１１０】
ページング要求は、上記カバレッジ拡張レベルを特定する情報から成ってよく、上記少なくとも１つのカバレッジ拡張ＭＴＣデバイスに関連付けられたカバレッジ拡張レベルを特定する上記手段は、上記ページング要求において上記カバレッジ拡張レベルを特定する上記情報に基づいて上記カバレッジ拡張レベルを特定するように構成される。
【０１１１】
上記少なくとも１つのカバレッジ拡張ＭＴＣデバイスに関連付けられたカバレッジ拡張レベルを特定する上記手段は、上記少なくとも１つのカバレッジ拡張ＭＴＣデバイスを用いてランダムアクセスチャネル（ＲＡＣＨ）をセットアップする手順中に得られる情報（例えば、ランダムアクセスプリアンブルシーケンスインデックス）に基づいて、上記カバレッジ拡張レベルを特定するように構成されてよい。
【０１１２】
上記少なくとも１つのカバレッジ拡張ＭＴＣデバイスのために、それぞれのカバレッジ拡張レベルが決定され得ない場合、上記ページング関連情報を送信し、次に繰り返す上記手段は、所定の（例えば、最大及び／又はデフォルト）カバレッジ拡張レベルに従って規定される繰り返し数にわたって、上記ページング関連情報の送信を繰り返すように構成されてよい。
【０１１３】
上記の例示的な実施形態では、複数のマシンタイプ通信デバイス及び複数の移動電話機を説明した。しかしながら、複数の移動電話機（及び同様のユーザ機器）は、複数のマシンタイプ通信デバイスとして動作するように構成せれてもよいことが理解されるであろう。例えば、移動電話機３−１は、ＭＴＣモジュール４５を備えてよい（及び／又はこのモジュールの機能を提供してよい）。
【０１１４】
複数のＭＴＣの用途の例
各通信デバイスは、１つ以上のＭＴＣの用途をサポートしてよいことが理解されるであろう。ＭＴＣの用途の幾つかの例が、以下の表にリストされている（出典：３ＧＰＰ  ＴＳ２２．３６８  Ｖ１３．１．０、付録Ｂ）。このリストは、網羅的なものではなく、複数のマシンタイプ通信の用途の範囲を示すことを意図したものである。
【０１１５】
【表１】
0006439952.tif 000002
【０１１６】
種々の他の変更形態は当業者には明らかであり、ここでは、これ以上詳しくは説明しない。
【０１１７】
以下は、現在提案されている３ＧＰＰ標準規格において、本発明を実施することができる方法の詳細な説明である。様々な特徴が必須又は必要であると記載されているが、これは、例えば、標準規格によって課される他の要件に起因して、提案される３ＧＰＰ標準規格についてしか当てはまらない場合がある。したがって、これらの記載は、本発明をいかなる形においても限定するものと解釈されるべきでない。
【０１１８】
タイトル：Ｒｅｌ−１３のＭＴＣ  ＵＥのためのページング
【０１１９】
１．序論
通常のカバレッジ及びカバレッジ拡張における、低複雑度ＵＥを含むＭＴＣｅ  ＵＥに対処するブロードキャストチャネル及び複数のユニキャストチャネルの双方に、繰り返しが広く必要とされている。このため、Ｒｅｌ−１３ＭＴＣｅ  ＵＥのためのページング送信手順を再設計する必要がある。
【０１２０】
この寄稿において、以下の問題に対する本発明者らの考察を共有する。
１．動的Ｌ１スケジューリング、すなわち、ｅＰＤＣＣＨがページング送信に必要とされているか否か？
２．システム情報変化について、どのようにページングを行うか？
３．Ｒｅｌ−１３のＭＴＣ  ＵＥの異なるタイプについて、複数のページングメッセージ送信が分離されるか否か？
４．ページング送信のためのＵＥのＣＥ／繰り返しレベルをどのように決定するか？
【０１２１】
２．論考
現在の仕様ＴＳ３６．３０４において、１つのページング機会（ＰＯ）は、ページングメッセージをアドレス指定するＰＤＣＣＨ上で送信されるＰ−ＲＮＴＩが存在してよい、サブフレームである。１つの無線フレームは、１つ以上のページング機会（ら）を含む。ＤＲＸが用いられるとき、ＵＥは、ＤＲＸサイクルごとに１つのＰＯのみを監視すればよい。
【０１２２】
Ｒｅｌ−１３  ＭＴＣとの関連において、繰り返しが必要とされることになるので、ＰＯはもはや１つのサブフレームではない。ＰＯの以下の定義を採用することを提案する。
【０１２３】
提案１：ページング機会（ＰＯ）が、或る特定のサブバンドにおけるサブフレームの束（の開始点）である。ここで、
−ｅＰＤＣＣＨがページング送信に必要とされる場合、ＵＥは、ページングメッセージのスケジューリングのためにｅＰＤＣＣＨの繰り返しを監視する、又は
−ＵＥは、ｅＰＤＣＣＨがページング送信のために必要とされない場合、ページングメッセージのためにＰＤＳＣＨの繰り返しを監視する。
【０１２４】
異なるサブバンドにおいて異なるＰＯを有することができる。
【０１２５】
２．１  システム情報変化のためのページング
既知のように、ページングメッセージは、ＲＲＣ＿ＩＤＬＥのＵＥ及びＲＲＣ＿ＣＯＮＮＥＣＴＥＤのＵＥに、システム情報変化を通知するのにも用いられる。システム情報変化ページングは、１ビットインジケータであり、存在する場合、他の複数の通常のページングレコードと共に送信される。このインジケータが任意のシステム情報エレメントを変化させようとしているとき、ｅＮＢは、全てのＵＥが時間内に通知されることを保証するために、このインジケータを全てのＵＥのための全てのＰＯにおいて送信しなくてはならない。
【０１２６】
Ｒｅｌ−１３  ＭＴＣとの関連において、ＲＲＣ−ＩＤＬＥ及びＲＲＣ−ＣＯＮＮＥＣＴＥＤモードにおける複数のＵＥのためのシステム情報変更を別個に論考する。
【０１２７】
ＲＲＣ＿ＩＤＬＥにおける複数のＵＥのためのシステム情報変化
オプション１：システム情報変更のためのページングが、（古いとして）複数の通常のページングレコードと共に送信される
【０１２８】
このオプションでは、ｅＮＢは、全てのＰＯにおいてページングを送信し、古いとして全てのタイプのＲｅｌ−１３  ＭＴＣ  ＵＥに対処しなくてはならない。全てのＰＯにおいて送信する労力は、数百回の繰り返しに起因して、古いよりもはるかに大きい。
【０１２９】
オプション２：システム情報変更のためのページングが、通常のページングと分離される
【０１３０】
このオプションでは、システム情報のためのページングは、共通サブバンドにおいて送信されなくてはならず、全てのＵＥがこの共通サブバンドにおいて機能し、システム情報変更のために複数のページング機会を監視することを試行する。これは、システム変更のための複数のページング機会中に、全てのＲｅｌ−１３  ＭＴＣ  ＵＥを他のサブバンドにおいてスケジューリングすることができないことを意味する。さらに、これはＵＥの観点からは追加のページング監視作業となり、更なる電力消費につながる。
【０１３１】
システム情報変化が非常に稀であることを考えると、オプション１の方が僅かに好ましい。
【０１３２】
提案：システム情報変更インジケータは、通常のページングレコード（ら）と共に送信される。
【０１３３】
ＲＲＣ＿ＣＯＮＮＥＣＴＥＤの複数のＵＥのためのシステム情報変化
【０１３４】
オプション１：（古いとしての）ページングによるシステム情報変化の通知
ＲＲＣ＿ＣＯＮＮＥＣＴＥＤモードのＵＥは、ページングを監視するためにサブバンドと異なるサブバンドにおいてスケジューリングされる可能性が高い。これは、ＵＥが、ページングのため及びシステム情報読み出しのために、サブバンドに再チューニングすることを必要とする。
【０１３５】
オプション２：専用シグナリングを介して新たな情報を送信する：
ＵＥは、複数のユニキャストチャネルのためのサブバンドにおいて、機能し続けることができる。ＲＲＣ−ＣＯＮＮＥＣＴＥＤにおいて大量のＲｅｌ−１３のＵＥが存在する場合、１つのＵＥごとに変化したシステム情報を送信することは非常にコストがかかる。一方、ターゲットＵＥに対する進行中のデータ送信が存在する場合、システム情報及びデータを多重化することによって、ＳＩの変化した部分のみがＵＥに送信されるならば、コストが下がることになる。
【０１３６】
オプション３：ＲＲＣ接続の解放
ＵＥへの進行中のデータ送信が存在しない場合、別の可能な選択肢は、このＵＥを解放することであり、このため、ＵＥは、ブロードキャストチャネルを介してシステム情報を読み出すことになる。
【０１３７】
オプション２及びオプション３は、ｅＮＢの実施によって共に機能することができる。カバレッジ拡張におけるＵＥが、進行中のデータが存在する場合にのみＲＲＣ−ＣＯＮＮＥＣＴＥＤモードに保持されることを考え、以下を提案する。
【０１３８】
提案：複数のＲＲＣ−ＣＯＮＮＥＣＴＥＤのＲｅｌ−１３  ＭＴＣ  ＵＥについてのシステム情報変化に専用のシグナリングを用いる。すなわち、複数のＲＲＣ−ＣＯＮＮＥＣＴＥＤのＲｅｌ−１３  ＭＴＣ  ＵＥは、システム情報変更のためにページングを監視することを必要とされない。
【０１３９】
２．２  ｅＰＤＣＣＨあり又はｅＰＤＣＣＨなし
システム情報送信と同様に、ページング送信に関する１つの主要な疑問は、ｅＰＤＣＣＨにおける動的Ｌ１スケジューリング情報が必要であるか否かであり、本発明者らは、以下のようにプラス面及びマイナス面を分析する。
【０１４０】
ｅＰＤＣＣＨなし（すなわち、動的Ｌ１スケジューリング情報なし）：
−スケジューリング柔軟性の欠如：複数のページング送信のための無線リソース、変調順序、符号化率が動的に変化され得ない。
−固定されたＴＢＳ／ＭＣＳ及び無線リソース：固定数（例えば、１つのみ）のＵＥが１つのＰＯにおいてページングされ得る。
−全てのページング要求に対応する空間が存在しない場合の追加のページング遅延：更なるＵＥがページングされる必要がある場合、ｅＮＢはページングを次のＰＯまで遅延させる可能性があり、これによりスケジューリング遅延が生じることになる。
−固定ＴＢＳに起因するページング容量制限：他方で、更なるＰＯは、ページング容量を増大させるために構成され得るが、これにより、更なるＰＯを監視するために更なるＵＥ電力が消費されることになる。
−ｅＰＤＣＣＨ送信のためのリソース使用を節減する。
【０１４１】
ｅＰＤＣＣＨあり（すなわち動的Ｌ１スケジューリング情報あり）
−更なるスケジューリング柔軟性：複数のページング送信のための無線リソース、変調順序、符号化率が動的に変化され得る。
−変更可能なＴＢＳ／ＭＣＳ及び無線リソース：１つのＰＯにおいてページングされるＵＥの数に柔軟性がある。
−ページング容量がページング要求に適応する。
−ｅＰＤＣＣＨ送信に更なる無線リソースが使用される。
−２倍の電力消費：ＰＯごとに、ＵＥはまずｅＰＤＣＣＨ束を監視しなくてはならず、次に、Ｐ−ＲＮＴＩを持つｅＰＤＣＣＨが検出される場合（これは非常に可能性が高い）、ＰＤＳＣＨ束を監視しなくてはならない。これは、ｅＰＤＣＣＨ−ＰＤＳＣＨ２ステップページング監視に起因して最大で電力消費が２倍になることを意味する。
【０１４２】
「ｅＰＤＣＣＨなし」オプションと比較して、「ｅＰＤＣＣＨあり」オプションは、スケジューリング、ページング容量の観点で明らかに柔軟性があり、より適応的である。一方、ｅＰＤＣＣＨの繰り返しに必要とされる追加のリソースを考えると、よりリソース効率が良いかは明らかでない。また、「ｅＰＤＣＣＨあり」オプションの結果として、ＵＥの観点から、はるかに多くのウェイク時間が生じ、電力消費が増大する。妥協案は、オプション「ｅＰＤＣＣＨなし」に加えて、限られた柔軟性を可能にする、例えば、システム情報におけるページングメッセージのＴＢサイズを、例えばセルのＭＴＣページング負荷に基づいて示し／調整することである。
【０１４３】
提案：ＲＡＮ２が、ｅＰＤＣＣＨにおいて動的Ｌ１スケジューリング情報を有しないが、限られたスケジューリング情報、例えば、ページング送信のためのＳＩにおけるＴＢＳを示すことを検討する。
【０１４４】
２．３  分離されるか否か
ＲＡＮ１は、複数のＲｅｌ−１３の低複雑度ＵＥ及び／又は複数のカバレッジ拡張（ＣＥ）において動作している複数のＵＥのための複数のページングメッセージが、他の複数のＵＥのための複数のページングメッセージと別個に送信されることに合意した。通常のカバレッジにおいて動作する及び複数の異なるカバレッジ拡張（ＣＥ）において動作する、複数のＲｅｌ−１３の低複雑度ＵＥのため複数のページングメッセージが別個に送信されるか否かは確認されていない。
【０１４５】
以下の論考において、通常のカバレッジにおけるＬＣ  Ｒｅｌ−１３  ＭＴＣ  ＵＥに特に言及しない。通常のカバレッジにおける低複雑度のＵＥは、ＵＥの位置がＮＷに知られていないため、１つの特殊な繰り返し／ＣＥレベル、例えば、ＣＥレベル０とみなすことができ、このため、再分割時間を計算するときにセルエッジカバレッジが想定される。
【０１４６】
これらが分離される場合：ＣＥレベルごとに、分離されたｅＰＤＣＣＨ／ＰＤＳＣＨ送信が必要とされる。ＣＥレベル１におけるＵＥを標的にする１つのページング及びＣＥレベル２におけるＵＥを標的にする別のページングが存在するとき、ｅＰＤＣＣＨがそこに存在する場合は２つのｅＰＤＣＣＨが必要とされ、ｅＰＤＣＣＨがそこに存在しない場合は２つのＰＤＳＣＨが必要とされる。複数の異なるＴＢについてパディングを分離することに起因して更なるＰＤＳＣＨ負荷が存在する場合がある。システム情報変更に関して、ｅＮＢは、全ての繰り返しレベルに対応する全てのＰＯにおいてページング／ページングスケジューリングを送信しなくてはならず、これはリソース消費が増えることも意味する。ＵＥ及びネットワーク側は、全ての状況において繰り返しレベルについて厳密に同じ推定を有し、そうでない場合、結果として送信とリソース監視とがずれることになり、このときページングが常に失敗することになる。
【０１４７】
それらが分離されていない場合：図に示されるように、繰り返し回数は、全てのページングされたＵＥによって必要とされる最大値になるべきである。Ｎ回の繰り返しを必要とするＣＥレベル１におけるＵＥを標的にする１つのページング及びＭ回の繰り返しを必要とするＣＥレベル４におけるＵＥを標的にする別のページングが存在し、Ｍ＞Ｎであるとき、ｅＮＢは、Ｍ回の繰り返しでこれらの２つのＵＥの双方のページングレコードを含むページングメッセージを送信することになる。ｅＮＢの実施の制御において、ページングされたＵＥ間の繰り返し回数があまりに異なっており、かつ多くのページング要求が存在するとき、ＵＥは、同様のＣＥレベルのＵＥのページングを共にグループ化し、更なるページング遅延を犠牲にして異なる時点で複数のグループをページングすることができる。ＵＥの観点から、複数の異なるＣＥレベルのＵＥは、十分な数のサブフレームにおいてｅＰＤＣＣＨ／ＰＤＳＣＨを組み合わせようとする。同じ例を辿ると、ＣＥレベル１におけるＵＥは、Ｎ個のサブフレームｅＰＤＣＣＨ／ＰＤＳＣＨの組み合わせを復号しようとするが、ＣＥレベル４におけるＵＥは、Ｍ個のサブフレームｅＰＤＣＣＨ／ＰＤＳＣＨの組み合わせを復号して、これがページングされているか否かをチェックしようとする。僅かな量のページング要求しか存在しない場合、非常に異なる繰り返し回数しか有しない場合であっても、ページングレコードを多重化することによって、リソース効率が良くなる場合がある。システム情報変更のページングのためのリソース消費が少なくなることになる。
【０１４８】
「分離されたオプション」について、ｅＰＤＣＣＨがそこにある場合、異なるＣＥレベルに異なるｅＰＤＣＣＨが必要とされる場合であっても、全てのｅＰＤＣＣＨが同じＰＤＳＣＨに向くように、異なるＣＥレベルに対処する複数のページングレコードを多重化して１つのＰＤＳＣＨ／ＴＢにすることが依然として可能である。
【０１４９】
上記の解析に基づいて、複数のＲｅｌ−１３のＭＴＣ  ＵＥの異なるタイプについて、ページング送信を分離しない方が僅かに好ましい。
【０１５０】
提案：複数の異なるタイプのＲｅｌ−１３のＭＴＣ  ＵＥのために、ページング送信を分離しない。すなわち、ネットワークは、１つのページングメッセージにおいて複数の異なるタイプ／ＣＥレベルのＲｅｌ−１３  ＭＴＣ  ＵＥに対処する複数のページングレコードを送信してよい。
【０１５１】
２．４  ＣＥレベル決定
或る特定のセルにおけるＵＥのＣＥレベルを決定するために、２つのオプションが存在する。
【０１５２】
オプション１：［図９に示すような］ｅＮＢベース
ｅＮＢは、ＵＥが所与のセルにおいていずれのＣＥレベルにあるかの最終判定を行い、ＣＮに通知し、理解を合わせるためにＵＥにも通知してよい。このオプションは、ｅＮＢ側における更なる制御を可能にする。同じＵＥは、場合によっては、異なるセルにおいて異なるＣＥ／繰り返しレベルを持ち、現在有する２つ以上のセルにおいてＵＥをページングすることを可能にするために、全てのセルにおける複数のＣＥレベルを、ＲＡＣＨ手順に基づいて１つずつ収集しなくてはならない。
【０１５３】
オプション２：［図１０に示すような］ＵＥベース
ＵＥは、全ての検出されたセルのＤＬ無線状態を測定し、各セルにおける複数のＣＥレベルを決定し、次に、例えば容量報告の一部としてＣＮに報告する。ｅＮＢは、このオプションではより低い制御を有し、ＵＥがこれを悪用しないことを確実にし、必要であるよりも高いＣＥレベルを報告しなくてはならない。全てのページングセルにおける複数のＣＥレベルを測定し、１つのショットでネットワークに報告することができる。
【０１５４】
提案：ＲＡＮ２は、ＣＥレベル判断がＵＥベースであるか又はｅＮＢベースであるかを論考する。
【０１５５】
上記の実施形態の全体又は一部は、以下の付記のようにも記載されうるが、以下には限られない。
【０１５６】
（付記１）
通信システムのための基地局であって、この通信システムにおいて、複数のマシンタイプ通信「ＭＴＣ」デバイスがこの基地局を介して通信し、この基地局は、
コアネットワークエンティティから、少なくとも１つのＭＴＣデバイスをページングするためのページング要求を受信する手段と、
上記少なくとも１つのＭＴＣデバイスがページング関連情報を送信されることになるページング機会を決定する手段であって、上記ページング機会は、上記ページング関連情報が最初に送信され、次に繰り返されることになる複数のサブフレームを特定する、上記決定する手段と、
上記ページング機会によって特定される上記複数のサブフレームにおいて、上記ページング関連情報を送信し、次に繰り返す手段と、
を備える、基地局。
【０１５７】
（付記２）
上記ページング関連情報は、ページングメッセージを上記少なくとも１つのＭＴＣデバイスに送信するために用いられる時間及び／又は複数の周波数リソースを特定するスケジューリング情報から成り、上記ページング機会によって特定される上記複数のサブフレームは、上記ページング関連情報を搬送する制御チャネルが送信されることになる複数のサブフレームである、付記１に記載の基地局。
【０１５８】
（付記３）
上記少なくとも１つのＭＴＣデバイスは、第１のカバレッジ拡張レベルを持つ少なくとも１つのカバレッジ拡張ＭＴＣデバイスと、上記第１のカバレッジ拡張レベルと異なる第２のカバレッジ拡張レベルを持つ少なくとも１つのカバレッジ拡張ＭＴＣデバイスとから成る、付記２に記載の基地局。
【０１５９】
（付記４）
上記ページング関連情報は、第１のカバレッジ拡張レベルを持つ上記少なくとも１つのカバレッジ拡張ＭＴＣデバイスのためのページング関連情報を特定するための第１のページング識別子（例えば、無線ネットワーク一時識別子）と、第２のカバレッジ拡張レベルを持つ上記少なくとも１つのカバレッジ拡張ＭＴＣデバイスのためのページング関連情報を特定するための第２のページング識別子（例えば、異なる無線ネットワーク一時識別子）とから成る、付記３に記載の基地局。
【０１６０】
（付記５）
第１のカバレッジ拡張レベルを持つ少なくとも上記１つのカバレッジ拡張ＭＴＣデバイスのためのページング関連情報は、第１のサブフレームにおける制御チャネルにおいて最初に送信され、第２のカバレッジ拡張レベルを持つ上記少なくとも１つのカバレッジ拡張ＭＴＣデバイスのためのページング関連情報は、前記第１のサブフレームと異なる第２のサブフレームにおける制御チャネルにおいて最初に送信される、付記３に記載の基地局。
【０１６１】
（付記６）
第１のカバレッジ拡張レベルを持つ上記少なくとも１つのカバレッジ拡張ＭＴＣデバイスのためのページング関連情報は、少なくとも１つのサブフレームにおける制御チャネルにおいて送信され、該少なくとも１つのサブフレームにおいて、第２のカバレッジ拡張レベルを持つ少なくとも上記１つのカバレッジ拡張ＭＴＣデバイスのためのページング関連情報も、同じ制御チャネルを用いて送信される、付記３に記載の基地局。
【０１６２】
（付記７）
上記ページング関連情報は、上記少なくとも１つのＭＴＣデバイスのための少なくとも１つのページングメッセージから成り、上記ページング機会によって特定される上記複数のサブフレームは、上記少なくとも１つのページングメッセージが送信され、次に繰り返されることになる複数のサブフレームである、付記１に記載の基地局。
【０１６３】
（付記８）
上記基地局は、上記少なくとも１つのＭＴＣデバイスに対し、システム情報ブロックにおいて上記少なくとも１つのページングメッセージを送信するのに用いられる複数のリソースを特定するためのスケジューリング情報を送信する手段を更に備える、付記７に記載の基地局。
【０１６４】
（付記９）
上記スケジューリング情報は、上記要求されたページングのためにトランスポートブロックサイズ「ＴＢＳ」を特定する情報から成る、付記８に記載の基地局。
【０１６５】
（付記１０）
上記少なくとも１つのＭＴＣデバイスは、第１のカバレッジ拡張レベルを持つ少なくとも１つのカバレッジ拡張ＭＴＣデバイスと、上記第１のカバレッジ拡張レベルと異なる第２のカバレッジ拡張レベルを持つ少なくとも１つのカバレッジ拡張ＭＴＣデバイスとから成る、付記７〜９のいずれかに記載の基地局。
【０１６６】
（付記１１）
第１のカバレッジ拡張レベルを持つ上記少なくとも１つのカバレッジ拡張ＭＴＣデバイスのためのページングメッセージは、第１の所定の周波数リソースを用いて送信され、第２のカバレッジ拡張レベルを持つ上記少なくとも１つのカバレッジ拡張ＭＴＣデバイスのためのページングメッセージは、前記第１の所定の周波数リソースと異なる第２の所定の周波数リソースを用いて送信される、付記１０に記載の基地局。
【０１６７】
（付記１２）
第１のカバレッジ拡張レベルを持つ上記少なくとも１つのカバレッジ拡張ＭＴＣデバイスのためのページングメッセージは、最初に、第１のサブフレームにおけるデータチャネルにおいて送信され、第２のカバレッジ拡張レベルを持つ上記少なくとも１つのカバレッジ拡張ＭＴＣデバイスのためのページングメッセージは、最初に、上記第１のサブフレームと異なる第２のサブフレームにおけるデータチャネルにおいて送信される、付記１０に記載の基地局。
【０１６８】
（付記１３）
第１のカバレッジ拡張レベルを持つ上記少なくとも１つのカバレッジ拡張ＭＴＣデバイスのためのページングメッセージは、少なくとも１つのサブフレームにおけるデータチャネルにおいて送信され、ここで、第２のカバレッジ拡張レベルを持つ上記少なくとも１つのカバレッジ拡張ＭＴＣデバイスのためのページングメッセージも、同じデータチャネルにおいて送信される、付記１０に記載の基地局。
【０１６９】
（付記１４）
上記少なくとも１つのＭＴＣデバイスが少なくとも１つのカバレッジ拡張ＭＴＣデバイスから成る場合、上記基地局は、上記少なくとも１つのカバレッジ拡張ＭＴＣデバイスに関連付けられたカバレッジ拡張レベルを特定する手段を更に含み、上記ページング関連情報を送信し、次に繰り返す上記手段は、上記カバレッジ拡張レベルによって規定される繰り返し数にわたって上記ページング関連情報の送信を繰り返すように構成される、付記１〜９のいずれかに記載の基地局。
【０１７０】
（付記１５）
上記ページング要求は、上記カバレッジ拡張レベルを特定する情報から成り、上記少なくとも１つのカバレッジ拡張ＭＴＣデバイスに関連付けられたカバレッジ拡張レベルを特定する上記手段は、上記ページング要求において上記カバレッジ拡張レベルを特定する上記情報に基づいて、上記カバレッジ拡張レベルを特定するように構成される、付記１４に記載の基地局。
【０１７１】
（付記１６）
上記少なくとも１つのカバレッジ拡張ＭＴＣデバイスに関連付けられたカバレッジ拡張レベルを特定する上記手段は、上記少なくとも１つのカバレッジ拡張ＭＴＣデバイスを用いてランダムアクセスチャネル（ＲＡＣＨ）をセットアップする手順中に得られる情報（例えば、ランダムアクセスプリアンブルシーケンスインデックス）に基づいて、上記カバレッジ拡張レベルを特定するように構成される、付記１４に記載の基地局。
【０１７２】
（付記１７）
上記少なくとも１つのカバレッジ拡張ＭＴＣデバイスのためにそれぞれのカバレッジ拡張レベルを決定することができない場合、上記ページング関連情報を送信し、次に繰り返す上記手段は、所定の（例えば、最大及び／又はデフォルト）カバレッジ拡張レベルに従って規定される繰り返し数にわたって、上記ページング関連情報の送信を繰り返すように構成される、付記１４に記載の基地局。
【０１７３】
（付記１８）
通信システムのための基地局であって、この通信システムにおいて、複数のマシンタイプ通信「ＭＴＣ」デバイスがこの基地局を介して通信し、この基地局は、
コアネットワークエンティティから、少なくとも１つのＭＴＣデバイスをページングするためのページング要求を受信する手段と、
上記少なくとも１つのＭＴＣデバイスがページングメッセージを送信されることになるページング機会を決定する手段と、
システム情報ブロックにおいて、上記ページングメッセージを送信するのに用いられる複数のリソースを特定するためのスケジューング情報を、上記少なくとも１つのＭＴＣデバイスに送信する手段と、
上記ページング機会に従って、上記複数のリソースを用いて上記ページングメッセージを、上記少なくとも１つのＭＴＣデバイスに送信する手段と、
を備える、基地局。
【０１７４】
（付記１９）
通信システムのための基地局であって、この通信システムにおいて、複数のマシンタイプ通信「ＭＴＣ」デバイスがこの基地局を介して通信し、この基地局は、
コアネットワークエンティティから、少なくとも１つのカバレッジ拡張ＭＴＣデバイスをページングするためのページング要求を受信する手段と、
上記少なくとも１つのカバレッジ拡張ＭＴＣデバイスに関連付けられたカバレッジ拡張レベルを特定する手段と、
ページング関連情報を送信し、次に、上記ページング関連情報を、カバレッジ拡張レベルによって規定される繰り返し数にわたって送信することを繰り返す手段と、
を備える、基地局。
【０１７５】
（付記２０）
通信システムのための基地局であって、この通信システムにおいて、複数のマシンタイプ通信「ＭＴＣ」デバイスがこの基地局を介して通信し、この基地局は、
システム情報において、結果として変更されたシステム情報が生じる変化が存在したことを、上記ＭＴＣデバイスに通知する要件が存在すると判断する手段と、
ページングメッセージを用いて上記ＭＴＣデバイスのための任意の複数のページングレコードと共に通知を送信することによって、システム情報に変化が存在したことを任意の複数のアイドルモードＭＴＣデバイスに通知する手段と、
任意の複数の無線リソース制御「ＲＲＣ」接続モードＭＴＣデバイスに、ＭＴＣデバイス専用シグナリング（例えば、ユニキャスト／専用ＲＲＣシグナリング）を用いて、変更されたシステム情報の少なくとも変更された部分を提供する手段と、
を備える、基地局。
【０１７６】
（付記２１）
基地局と通信するためのマシンタイプ通信「ＭＴＣ」デバイスであって、そのＭＴＣデバイスは、
上記基地局がページング関連情報を送信することができるページング機会を決定する手段であって、上記ページング機会は、上記ページング関連情報が最初に送信され、次に上記基地局によって繰り返される複数のサブフレームを特定する、上記決定する手段と、
上記ページング機会によって特定される上記複数のサブフレームにおいて上記ページング関連情報を受信する手段と、
を備える、ＭＴＣデバイス。
【０１７７】
（付記２２）
通信システムのためのマシンタイプ通信「ＭＴＣ」デバイスであって、この通信システムにおいて、複数のマシンタイプ通信「ＭＴＣ」デバイスは基地局を介して通信し、このＭＴＣデバイスは、
上記基地局によってブロードキャストされるシステム情報ブロックから、少なくとも１つのページングメッセージを送信するのに用いられる複数のリソースを特定するためのスケジューリング情報を得る手段と、
上記基地局が上記ＭＴＣデバイスのためのページングメッセージを送信することができるページング機会を決定する手段と、
上記スケジューリング情報から、少なくとも１つのページングメッセージを送信するために用いられることになる上記複数のリソースを決定する手段と、
上記ページング機会に従って、上記複数のリソースを用いて上記ページングメッセージを受信する手段と、
を備える、ＭＴＣデバイス。
【０１７８】
（付記２３）
通信システムのためのマシンタイプ通信「ＭＴＣ」デバイスであって、この通信システムにおいて、複数のＭＴＣデバイスは基地局を介して通信し、このＭＴＣデバイスは、
少なくとも１つのセルに関連付けられた信号品質の基準を確立するための測定を行う手段と、
少なくとも１つのセルに関連付けられた信号品質の上記基準に基づいて、上記少なくとも１つのセルに関連付けられたそれぞれのカバレッジ拡張レベルを決定する手段と、
上記少なくとも１つのセルに関連付けられた上記それぞれのカバレッジ拡張レベルを上記基地局に送信する手段と、
を備える、ＭＴＣデバイス。
【０１７９】
（付記２４）
通信システムのためのマシンタイプ通信「ＭＴＣ」デバイスであって、この通信システムにおいて、複数のＭＴＣデバイスは基地局を介して通信し、このＭＴＣデバイスは、
上記基地局と無線リソース制御「ＲＲＣ」接続を形成して、ＲＲＣ接続モードに入る手段と、
上記ＲＲＣ接続モードにあるとき、専用シグナリング（例えば、ユニキャスト／専用ＲＲＣシグナリング）を用いて、上記基地局のセルに関連付けられた変更されたシステム情報（の少なくとも変更された部分）を得るように構成されたトランシーバと、
を備える、マシンタイプ通信「ＭＴＣ」デバイス。
【０１８０】
（付記２５）
通信システムのためのコアネットワークノード（例えば、モビリティ管理エンティティ）であって、このコアネットワークノードは、
少なくとも１つのカバレッジ拡張ＭＴＣデバイスのための基地局のセルにおいて必要とされる、カバレッジ拡張レベルを特定する情報を得る手段と、
上記基地局を介して、上記少なくとも１つのカバレッジ拡張ＭＴＣデバイスをページングするためのページング要求を生成する手段であって、上記ページング要求は、上記少なくとも１つのカバレッジ拡張ＭＴＣデバイスのための基地局の上記セルにおいて必要とされる、上記カバレッジ拡張レベルを特定する上記情報を含む、上記生成する手段と、
上記セル内で必要とされる上記カバレッジ拡張レベルに従って、上記セルにおける上記少なくとも１つのカバレッジ拡張ＭＴＣデバイスをページングするための上記ページング要求を上記基地局に送信する手段と、
を備える、コアネットワークノード。
【０１８１】
（付記２６）
付記１〜２０のいずれかに記載の基地局と、付記２１〜２４のいずれかに記載のＭＴＣデバイスと、付記２５に記載のコアネットワークノードと、を備えるシステム。
【０１８２】
（付記２７）
通信システムにおける基地局によって実行される方法であって、この通信システムにおいて、複数のマシンタイプ通信「ＭＴＣ」デバイスが上記基地局を介して通信し、この方法は、
コアネットワークエンティティから、少なくとも１つのＭＴＣデバイスをページングするためのページング要求を受信し、
上記少なくとも１つのＭＴＣデバイスがページング関連情報を送信されることになるページング機会を決定し、上記ページング機会は、上記ページング関連情報が最初に送信され、次に繰り返されることになる複数のサブフレームを特定することであり、
上記ページング機会によって特定される上記複数のサブフレームにおいて、上記ページング関連情報を送信し、次に繰り返す、
ことを含む、方法。
【０１８３】
（付記２８）
通信システムのための基地局によって実行される方法であって、この通信システムにおいて、複数のマシンタイプ通信「ＭＴＣ」デバイスがこの基地局を介して通信し、この方法は、
コアネットワークエンティティから、少なくとも１つのＭＴＣデバイスをページングするためのページング要求を受信し、
上記少なくとも１つのＭＴＣデバイスがページングメッセージを送信されることになるページング機会を決定し、
システム情報ブロックにおいて、上記ページングメッセージを送信するのに用いられる複数のリソースを特定するためのスケジューング情報を、上記少なくとも１つのＭＴＣデバイスに送信し、
上記ページング機会に従って、上記複数のリソースを用いて上記ページングメッセージを、上記少なくとも１つのＭＴＣデバイスに送信する、
ことを含む、方法。
【０１８４】
（付記２９）
通信システムのための基地局によって実行される方法であって、この通信システムにおいて、複数のマシンタイプ通信「ＭＴＣ」デバイスがこの基地局を介して通信し、この方法は、
コアネットワークエンティティから、少なくとも１つのカバレッジ拡張ＭＴＣデバイスをページングするためのページング要求を受信し、
上記少なくとも１つのカバレッジ拡張ＭＴＣデバイスに関連付けられたカバレッジ拡張レベルを特定し、
ページング関連情報を送信し、次に、上記ページング関連情報を、カバレッジ拡張レベルによって規定される繰り返し数にわたって送信することを繰り返す、
ことを含む、方法。
【０１８５】
（付記３０）
通信システムのための基地局によって実行される方法であって、該通信システムにおいて、複数のマシンタイプ通信「ＭＴＣ」デバイスは前記基地局を介して通信し、該方法は、
システム情報において結果として変更されたシステム情報が生じる変化が存在したことを、前記複数のＭＴＣデバイスに通知する要件が存在すると判断し、
ページングメッセージを用いて上記複数のＭＴＣデバイスのための任意の複数のページングレコードと共に通知を送信することによって、システム情報に変化が存在したことを任意の複数のアイドルモードＭＴＣデバイスに通知し、
任意の複数の無線リソース制御「ＲＲＣ」接続モードＭＴＣデバイスに、ＭＴＣデバイス専用シグナリング（例えば、ユニキャスト／専用ＲＲＣシグナリング）を用いて、変更されたシステム情報の少なくとも変更された部分を提供する、
ことを含む、方法。
【０１８６】
（付記３１）
基地局と通信するためのマシンタイプ通信「ＭＴＣ」デバイスによって実行される方法であって、この方法は、
上記基地局がページング関連情報を送信することができるページング機会を決定し、上記ページング機会は、上記ページング関連情報が最初に送信され、次に上記基地局によって繰り返される複数のサブフレームを特定することであり、
上記ページング機会によって特定される上記複数のサブフレームにおいて、上記ページング関連情報を受信する、
ことを含む、方法。
【０１８７】
（付記３２）
通信システムにおけるマシンタイプ通信「ＭＴＣ」デバイスによって実行される方法であって、この通信システムにおいて、複数のマシンタイプ通信「ＭＴＣ」デバイスは基地局を介して通信し、この方法は、
上記基地局によってブロードキャストされるシステム情報ブロックから、少なくとも１つのページングメッセージを送信するのに用いられる複数のリソースを特定するためのスケジューリング情報を得、
上記基地局が上記ＭＴＣデバイスのためのページングメッセージを送信することができるページング機会を決定し、
上記スケジューリング情報から、少なくとも１つのページングメッセージを送信するために用いられることになる上記複数のリソースを決定し、
上記ページング機会に従って、上記複数のリソースを用いて上記ページングメッセージを受信する、
ことを含む、方法。
【０１８８】
（付記３３）
通信システムにおけるマシンタイプ通信「ＭＴＣ」デバイスによって実行される方法であって、この通信システムにおいて、複数のＭＴＣデバイスは基地局を介して通信し、この方法は、
少なくとも１つのセルに関連付けられた信号品質の基準を確立するための測定を行い、
少なくとも１つのセルに関連付けられた信号品質の上記基準に基づいて、上記少なくとも１つのセルに関連付けられたそれぞれのカバレッジ拡張レベルを決定し、
上記少なくとも１つのセルに関連付けられた上記それぞれのカバレッジ拡張レベルを、上記基地局に送信する、
ことを含む、方法。
【０１８９】
（付記３４）
通信システムにおいてマシンタイプ通信「ＭＴＣ」デバイスによって実行される方法であって、この通信システムにおいて、複数のＭＴＣデバイスは基地局を介して通信し、この方法は、
上記基地局と無線リソース制御「ＲＲＣ」接続を形成して、ＲＲＣ接続モードに入り、
上記ＲＲＣ接続モードにあるとき、専用シグナリング（例えば、ユニキャスト／専用ＲＲＣシグナリング）を用いて、上記基地局のセルに関連付けられた変更されたシステム情報（の少なくとも変更された部分）を得る、
ことを含む、方法。
【０１９０】
（付記３５）
通信システムのためのコアネットワークノード（例えば、モビリティ管理エンティティ）によって実行される方法であって、この方法は、
少なくとも１つのカバレッジ拡張ＭＴＣデバイスのための基地局のセルにおいて必要とされるカバレッジ拡張レベルを特定する情報を得、
上記基地局を介して上記少なくとも１つのカバレッジ拡張ＭＴＣデバイスをページングするためのページング要求を生成し、上記ページング要求は、上記少なくとも１つのカバレッジ拡張ＭＴＣデバイスのための基地局の上記セルにおいて必要とされる上記カバレッジ拡張レベルを特定する上記情報を含み、
上記セル内で必要とされる上記カバレッジ拡張レベルに従って、上記セルにおける上記少なくとも１つのカバレッジ拡張ＭＴＣデバイスをページングするための上記ページング要求を、上記基地局に送信する、
ことを含む、方法。
【０１９１】
（付記３６）
プログラム可能な通信デバイスに、付記２７〜３５のうちのいずれかに記載の方法を実行させるためのコンピュータ実施可能命令を含むコンピュータ実施可能命令製品。
【０１９２】
この出願は、２０１５年４月１０日に出願された英国特許出願第１５０６１５６．７号を基礎とする優先権を主張し、その開示の全てをここに取り込む。
【図１】
0006439952.tif 000003
【図２】
0006439952.tif 000004
【図３】
0006439952.tif 000005
【図４】
0006439952.tif 000006
【図５】
0006439952.tif 000007
【図６】
0006439952.tif 000008
【図７】
0006439952.tif 000009
【図８】
0006439952.tif 000010
【図９】
0006439952.tif 000011
【図１０】
0006439952.tif 000012